(57)【特許請求の範囲】
【請求項１】
始動入賞口を有する普通変動入賞装置への遊技球の入賞に基づき、複数の識別情報を変動表示する変動表示ゲームを表示可能な変動表示装置を備え、
前記変動表示ゲームの結果が特別結果となった場合に、遊技者に所定の遊技価値を付与する特別遊技状態を発生可能であり、
前記特別遊技状態を発生させた特別結果の種類に基づいて前記普通変動入賞装置の開放延長機能を作動可能な遊技機において、
前記始動入賞口への遊技球の入賞に基づき、前記変動表示ゲームを実行する権利を始動記憶として所定の上限数まで記憶可能であるとともに、該始動記憶毎に各種の乱数値を抽出して記憶する始動記憶手段と、
前記始動記憶手段に記憶された各種乱数値を判定する判定手段と、
前記変動表示ゲームを実行する変動表示ゲーム実行制御手段と、
前記変動表示ゲームの演出の実行を制御する演出制御手段と、を備え、
前記変動表示ゲーム実行制御手段は、
前記変動表示ゲームの変動パターンの選択に用いるテーブルを設定するテーブル設定手段と、
前記特別遊技状態の終了後、前記普通変動入賞装置の開放延長機能が作動している期間における前記変動表示ゲームの実行回数を計数する計数手段と、
前記計数手段の計数結果が、前記普通変動入賞装置の開放延長機能が作動している期間における予め定められた複数の切替回数のうちの何れかとなると、前記テーブル設定手段によって設定されたテーブルを変更するテーブル変更手段と、を備え、
前記演出制御手段は、所定の切替回数となって前記テーブル変更手段によってテーブルが変更される場合に、次に切替回数となる変動表示ゲームに関する所定の演出を実行可能であり、
前記テーブル変更手段は、前記所定の演出を実行可能な切替回数となる変動表示ゲームがはずれ変動パターンとなる場合に、当該所定の演出を実行可能な切替回数となる直前の変動表示ゲームにおいてはずれ変動パターンとなる場合に当該直前の変動表示ゲームで選択される変動時間よりも長い変動時間を選択するテーブルに変更可能としたことを特徴とする遊技機。
【請求項２】
前記変動表示ゲームの結果が特別結果とならないはずれ変動表示ゲームの結果態様を複数種類設定し、当該複数種類設定されるはずれ変動表示ゲームの結果態様はそれぞれ前記特別遊技状態を発生させる特別結果と対応付けて設定するとともに、当該複数種類設定されるはずれ変動表示ゲームの結果態様に対して前記所定の演出を実行可能な切替回数をそれぞれ設定し、
前記所定の演出を実行可能な切替回数は、前記複数種類設定されるはずれ変動表示ゲームの結果態様の導出に基づき、当該導出されたはずれ変動表示ゲームの結果態様の種類に対応した前記切替回数に変更されることを特徴とする請求項１に記載の遊技機。
【発明の詳細な説明】
【技術分野】
【０００１】
本発明は、始動入賞口への遊技球の入賞に基づき、複数の識別情報を変動表示する変動表示ゲームを表示可能な変動表示装置を備え、前記変動表示ゲームの結果が特別結果となった場合に、遊技者に所定の遊技価値を付与する特別遊技状態を発生可能な遊技機に関する。
【背景技術】
【０００２】
従来、変動表示ゲームを表示する変動表示装置と特別遊技状態を発生させる制御を行う制御手段とを備える遊技機において、変動表示ゲームの結果が特定の結果になりやすい状況になったことを事前に知らしめる手段として予告演出があり、更に予告演出を発展させたものとして、複数の変動表示ゲームに亘って予告演出を繰り返し行うことで、未だに実行していない始動記憶に基づいて行われる変動表示ゲームの結果を予告する連続予告演出が知られている（例えば、特許文献１参照）。
【先行技術文献】
【特許文献】
【０００３】
【特許文献１】特開２００２−２３９１５４号公報
【発明の概要】
【発明が解決しようとする課題】
【０００４】
しかし、上記特許文献１のような遊技機では、演出内容は、予告演出として面白みのないものであり、単調で、興趣に欠けるものであった。
【０００５】
本発明の目的は、期待感を継続させることが可能な変動表示ゲームを行い、興趣に富んだ予告演出を行うことにある。
【課題を解決するための手段】
【０００６】
以上の課題を解決するため、請求項１に記載の発明は、
始動入賞口を有する普通変動入賞装置への遊技球の入賞に基づき、複数の識別情報を変動表示する変動表示ゲームを表示可能な変動表示装置を備え、
前記変動表示ゲームの結果が特別結果となった場合に、遊技者に所定の遊技価値を付与する特別遊技状態を発生可能であり、
前記特別遊技状態を発生させた特別結果の種類に基づいて前記普通変動入賞装置の開放延長機能を作動可能な遊技機において、
前記始動入賞口への遊技球の入賞に基づき、前記変動表示ゲームを実行する権利を始動記憶として所定の上限数まで記憶可能であるとともに、該始動記憶毎に各種の乱数値を抽出して記憶する始動記憶手段と、
前記始動記憶手段に記憶された各種乱数値を判定する判定手段と、
前記変動表示ゲームを実行する変動表示ゲーム実行制御手段と、
前記変動表示ゲームの演出の実行を制御する演出制御手段と、を備え、
前記変動表示ゲーム実行制御手段は、
前記変動表示ゲームの変動パターンの選択に用いるテーブルを設定するテーブル設定手段と、
前記特別遊技状態の終了後、前記普通変動入賞装置の開放延長機能が作動している期間における前記変動表示ゲームの実行回数を計数する計数手段と、
前記計数手段の計数結果が、前記普通変動入賞装置の開放延長機能が作動している期間における予め定められた複数の切替回数のうちの何れかとなると、前記テーブル設定手段によって設定されたテーブルを変更するテーブル変更手段と、を備え、
前記演出制御手段は、所定の切替回数となって前記テーブル変更手段によってテーブルが変更される場合に、次に切替回数となる変動表示ゲームに関する所定の演出を実行可能であり、
前記テーブル変更手段は、前記所定の演出を実行可能な切替回数となる変動表示ゲームがはずれ変動パターンとなる場合に、当該所定の演出を実行可能な切替回数となる直前の変動表示ゲームにおいてはずれ変動パターンとなる場合に当該直前の変動表示ゲームで選択される変動時間よりも長い変動時間を選択するテーブルに変更可能としたことを特徴とする。
【０００７】
ここで、「変動表示装置」は、液晶表示装置、ＣＲＴ（陰極線管）表示装置などの単体の装置であっても、また、これら装置と多数の発光素子を配列した表示装置、回転ドラムを使用したメカ式の表示装置などとの組み合わせでもよく、画像表示可能な領域を含んでいればよい。
【０００８】
請求項１に記載の発明によれば、普通変動入賞装置の開放延長機能が作動している期間中、演出制御手段によって、所定の切替回数となってテーブル変更手段によってテーブルが変更される場合に、次に切替回数となる変動表示ゲームに関する所定の演出を実行可能とし、テーブル変更手段によって、所定の演出を実行可能な切替回数となる変動表示ゲームがはずれ変動パターンとなる場合に、当該所定の演出を実行可能な切替回数となる直前の変動表示ゲームにおいてはずれ変動パターンとなる場合に当該直前の変動表示ゲームで選択される変動時間よりも長い変動時間を選択するテーブルに変更可能としたので、従来にない興趣に富んだ予告演出を行うことができる。
【００１５】
請求項２に記載の発明は、請求項１に記載の遊技機であって、
前記変動表示ゲームの結果が特別結果とならないはずれ変動表示ゲームの結果態様を複数種類設定し、当該複数種類設定されるはずれ変動表示ゲームの結果態様はそれぞれ前記特別遊技状態を発生させる特別結果と対応付けて設定するとともに、当該複数種類設定されるはずれ変動表示ゲームの結果態様に対して前記所定の演出を実行可能な切替回数をそれぞれ設定し、
前記所定の演出を実行可能な切替回数は、前記複数種類設定されるはずれ変動表示ゲームの結果態様の導出に基づき、当該導出されたはずれ変動表示ゲームの結果態様の種類に対応した前記切替回数に変更されることを特徴とする。
【００１６】
請求項２に記載の発明によれば、所定の演出を実行可能な切替回数は、複数種類設定されるはずれ変動表示ゲームの結果態様の導出に基づき、当該導出されたはずれ変動表示ゲームの結果態様の種類に対応した切替回数に変更されることにより、予告演出がランダムに発生するようになるので、当該予告演出が単調になることを抑制し、遊技の興趣を向上させるとともに、遊技者の期待感を好適に継続させることができるようになる。
【発明の効果】
【００１９】
本発明によれば、従来にない興趣に富んだ予告演出を行うことができる。
【図面の簡単な説明】
【００２０】
【図１】本発明に係る遊技機の一実施形態を示す斜視図である。
【図２】実施形態の遊技機における遊技盤の構成例を示す正面図である。
【図３】実施形態の遊技機の裏面に設けられる制御システムおよび遊技制御装置の構成例を示すブロック図である。
【図４】図３の制御システムにおける演出制御装置の構成例を示すブロック図である。
【図５】はずれ用の変動パターンテーブルを説明するための図である。
【図６】大当り用の変動パターンテーブルを説明するための図である。
【図７】各予告回数及び当該各予告回数に行われる予告演出に関連した演出を行う所定回数の関係を説明するための図である。
【図８】大当り終了後１００回転目までの特図変動表示ゲームにて設定される変動パターンテーブルのテーブル情報を説明するための図である。
【図９】実施形態の遊技制御装置の遊技用マイコンによって実行される遊技制御のうちメイン処理の具体的な手順の前半部分を示すフローチャートである。
【図１０】実施形態の遊技制御装置の遊技用マイコンによって実行される遊技制御のうちメイン処理の具体的な手順の後半部分を示すフローチャートである。
【図１１】実施形態の遊技制御装置の遊技用マイコンによって実行される遊技制御のうちタイマ割込み処理の具体的な手順の一例を示すフローチャートである。
【図１２】図１１のタイマ割込み処理中に実行される特図ゲーム処理の具体的な手順の一例を示すフローチャートである。
【図１３】図１２の特図ゲーム処理中に実行される始動口スイッチ監視処理の具体的な手順の一例を示すフローチャートである。
【図１４】図１３の始動口スイッチ監視処理中に実行される特図始動口スイッチ共通処理の具体的な手順の一例を示すフローチャートである。
【図１５】図１４の特図始動口スイッチ共通処理中に実行される特図保留情報判定処理の具体的な手順の一例を示すフローチャートである。
【図１６】図１２の特図ゲーム処理中に実行される特図普段処理の具体的な手順の一例を示すフローチャートである。
【図１７】（ａ）は、図１６の特図普段処理中に実行される特図１変動開始処理の具体的な手順の一例を示すフローチャート、（ｂ）は、図１６の特図普段処理中に実行される特図２変動開始処理の具体的な手順の一例を示すフローチャートである。
【図１８】図１２の特図ゲーム処理中に実行される特図変動中処理の具体的な手順の一例を示すフローチャートである。
【図１９】図１２の特図ゲーム処理中に実行される特図表示中処理の具体的な手順の一例を示すフローチャートである。
【図２０】図１９の特図表示中処理の続きを示すフローチャートである。
【図２１】図１９の特図表示中処理の続きを示すフローチャートである。
【図２２】図２０の特図表示中処理中に実行される変動回数更新処理の具体的な手順の一例を示すフローチャートである。
【図２３】図２２の変動回数更新処理中に実行される高確時変動回数更新処理の具体的な手順の一例を示すフローチャートである。
【図２４】図２２の変動回数更新処理中に実行される時短終了時情報設定処理の具体的な手順の一例を示すフローチャートである。
【図２５】図１２の特図ゲーム処理中に実行される大当り終了処理の具体的な手順の一例を示すフローチャートである。
【図２６】（ａ）は、図２５の大当り終了処理中に実行される大当り終了設定処理１の具体的な手順の一例を示すフローチャート、（ｂ）は、図２５の大当り終了処理中に実行される大当り終了設定処理２の具体的な手順の一例を示すフローチャートである。
【図２７】実施形態の演出制御装置のＣＰＵ（１ｓｔ）によって実行される１ｓｔメイン処理の具体的な手順を示すフローチャートである。
【図２８】実施形態の演出制御装置のＣＰＵ（２ｎｄ）によって実行される２ｎｄメイン処理の具体的な手順を示すフローチャートである。
【図２９】図２８の２ｎｄメイン処理中に実行される通常ゲーム処理の具体的な手順の一例を示すフローチャートである。
【図３０】図２７の１ｓｔメイン処理中に実行される１ｓｔシーン制御処理の具体的な手順の一例を示すフローチャートである。
【図３１】図３０の１ｓｔシーン制御処理中に実行される変動中処理の具体的な手順の一例を示すフローチャートである。
【図３２】図３１の変動中処理中に実行される変動パターン情報設定処理の具体的な手順の一例を示すフローチャートである。
【図３３】図３１の変動中処理中に実行される変動回数管理処理の具体的な手順の一例を示すフローチャートである。
【図３４】図３３の変動回数管理処理中に実行される高確時変動回数管理処理の具体的な手順の一例を示すフローチャートである。
【図３５】図３０の１ｓｔシーン制御処理中に実行されるエンディング処理の具体的な手順の一例を示すフローチャートである。
【図３６】図３０の１ｓｔシーン制御処理中に実行される先読みコマンド受信処理の具体的な手順の一例を示すフローチャートである。
【図３７】大当り終了後の第１予告回数での予告演出及び第１所定回数での所定の演出の表示例を示す図である。
【図３８】大当り終了後の第２予告回数での予告演出及び第２所定回数での所定の演出の表示例を示す図である。
【図３９】大当りの種類に応じた各予告回数及び各所定回数を示す図である。
【図４０】実施形態２の遊技機における（ａ）は、大当りの種類と計数開始条件との関係を示す図であり、（ｂ）は、特定はずれ図柄Ａ〜Ｃの振分数を示す図であり、（ｃ）は、大当り（特別遊技状態）終了後から計数を開始した場合のタイミングチャートを示す図であり、（ｄ）は、大当り終了後、特定はずれ図柄Ａが導出された後から計数を開始した場合のタイミングチャートを示す図であり、（ｅ）は、大当り終了後、特定はずれ図柄Ｂが導出された後から計数を開始した場合のタイミングチャートを示す図である。
【図４１】実施形態２における特図始動口ＳＷ共通処理を示すフローチャートである。
【図４２】図４１の特図始動口ＳＷ共通処理中に実行される特図保留情報判定処理の具体的な手順の一例を示すフローチャートである。
【図４３】実施形態２における変動回数更新処理を示すフローチャートである。
【図４４】図１７（ａ）の特図１変動開始処理中に実行される特図１停止図柄設定処理の具体的な手順の一例を示すフローチャートである。
【図４５】図１７（ｂ）の特図２変動開始処理中に実行される特図２停止図柄設定処理の具体的な手順の一例を示すフローチャートである。
【図４６】図４３の変動回数更新処理中に実行される特定期間回数更新処理の具体的な手順の一例を示すフローチャートである。
【図４７】実施形態２の大当り終了処理の具体的な手順の一例を示すフローチャートである。
【図４８】（ａ）は、図４７の大当り終了処理中に実行される大当り終了設定処理３の具体的な手順の一例を示すフローチャート、（ｂ）は、図４７の大当り終了処理中に実行される大当り終了設定処理４の具体的な手順の一例を示すフローチャートである。
【図４９】特定のはずれ図柄の導出を契機にモードを移行させたときの演出表示例を示す図である。
【図５０】実施形態２の変形例１において導出されるはずれ図柄と設定されるテーブル情報との関係を示す図である。
【図５１】実施形態２の変形例１におけるテーブル情報Ａ〜Ｃを説明するための図である。
【図５２】実施形態３における変動回数管理処理を示すフローチャートである。
【図５３】図５２の変動回数管理処理中に実行される演出設定処理の具体的な手順の一例を示すフローチャートである。
【図５４】大当り終了後の第１予告回数（１５回）にて上乗せ回数（２０回）を設定した場合の予告演出及び第１所定回数（第１予告回数から１５回）での所定の演出の表示例を示す図である。
【図５５】図５４に示す演出表示例の続きを示す図である。
【図５６】図５５に示す演出表示例の続きを示す図である。
【図５７】図５６に示す演出表示例の続きを示す図である。
【図５８】図５７に示す演出表示例の続きを示す図である。
【図５９】その他の演出表示の一例を示す図である。
【図６０】その他の演出表示の一例を示す図である。
【発明を実施するための形態】
【００２１】
＜実施形態１＞
以下、本発明の好適な実施の形態を図面に基づいて説明する。
図１は、本発明の実施形態１の遊技機の説明図である。
【００２２】
実施形態１の遊技機１０は前面枠１２を備え、該前面枠１２は本体枠（外枠）１１にヒンジ１３を介して開閉回動可能に組み付けられている。遊技盤３０（図２参照）は前面枠１２の表側に形成された収納部（図示省略）に収納されている。また、前面枠（内枠）１２には、遊技盤３０の前面を覆うカバーガラス（透明部材）１４を備えたガラス枠１５が取り付けられている。
【００２３】
また、ガラス枠１５の上部には、ランプ及びモータを内蔵した照明装置（ムービングライト）１６や払出異常報知用のランプ（ＬＥＤ）１７が設けられている。また、ガラス枠１５の左右にはランプ等を内蔵し装飾や演出のための発光をする枠装飾装置１８や、音響（例えば、効果音）を発するスピーカ（上スピーカ）１９ａが設けられている。さらに、前面枠１２の下部にもスピーカ（下スピーカ）１９ｂが設けられている。
【００２４】
また、前面枠１２の下部には、図示しない打球発射装置に遊技球を供給する上皿２１、遊技機１０の裏面側に設けられている球払出装置から払い出された遊技球が流出する上皿球出口２２、上皿２１が一杯になった状態で払い出された遊技球を貯留する下皿２３及び打球発射装置の操作部２４が設けられている。さらに、上皿２１の上縁部には、遊技者からの操作入力を受け付けるための操作スイッチを内蔵した演出ボタン２５が設けられている。さらに、前面枠１２下部右側には、前面枠１２を開放したり施錠したりするための鍵２６が設けられている。
【００２５】
この実施形態１の遊技機１０においては、遊技者が上記操作部２４を回動操作することによって、打球発射装置が、上皿２１から供給される遊技球を遊技盤３０前面の遊技領域３２に向かって発射する。また、遊技者が演出ボタン２５を操作することによって、表示装置４１（図２参照）における変動表示ゲーム（飾り特図変動表示ゲーム）において、遊技者の操作を介入させた演出等を行わせることができる。さらに、上皿２１上方のガラス枠１５の前面には、遊技者が隣接する球貸機から球貸しを受ける場合に操作する球貸ボタン２７、球貸機のカードユニットからプリペイドカードを排出させるために操作する排出ボタン２８、プリペイドカードの残高を表示する残高表示部（図示省略）等が設けられている。
【００２６】
次に、図２を用いて遊技盤３０の一例について説明する。図２は、実施形態１の遊技盤３０の正面図である。
【００２７】
遊技盤３０の表面には、ガイドレール３１で囲われた略円形状の遊技領域３２が形成されている。遊技領域３２は、遊技盤３０の四隅に各々設けられた樹脂製のサイドケース３３及びガイドレール３１に囲繞されて構成される。遊技領域３２には、ほぼ中央に表示装置４１を備えたセンターケース４０が配置されている。表示装置４１は、センターケース４０に設けられた凹部に、センターケース４０の前面より奥まった位置に取り付けられている。即ち、センターケース４０は表示装置４１の表示領域の周囲を囲い、表示装置４１の表示面よりも前方へ突出するように形成されている。
【００２８】
表示装置４１は、例えば、ＬＣＤ（液晶表示器）、ＣＲＴ（ブラウン管）等の表示画面を有する装置で構成されている。表示画面の画像を表示可能な領域（表示領域）には、複数の識別情報（特別図柄）や特図変動表示ゲームを演出するキャラクタや演出効果を高める背景画像等が表示される。表示装置４１の表示画面においては、識別情報として割り当てられた複数の特別図柄が変動表示（可変表示）されて、特図変動表示ゲームに対応した飾り特図変動表示ゲームが行われる。また、表示画面には遊技の進行に基づく演出のための画像（例えば、大当たり表示画像、ファンファーレ表示画像、エンディング表示画像等）が表示される。ここで、表示装置４１は、複数の識別情報を変動表示する特図変動表示ゲームを表示可能な変動表示装置として機能する。
【００２９】
遊技領域３２のセンターケース４０の左側には、普通図柄始動ゲート（普図始動ゲート）３４が設けられている。センターケース４０の左下側には、三つの一般入賞口３５が配置され、センターケース４０の右下側には、一つの一般入賞口３５が配置されている。
これら一般入賞口３５、…には、各一般入賞口３５に入った遊技球を検出するための入賞口スイッチ３５ａ〜３５ｎ（図３参照）が配設されている。
【００３０】
また、センターケース４０の下方には、特図変動表示ゲームの開始条件を与える始動入賞口３６が設けられ、その直下には上部に逆「ハ」の字状に開いて遊技球が流入し易い状態に変換する一対の可動部材３７ｂ、３７ｂを備えるとともに内部に第２始動入賞口を有する普通変動入賞装置（普電）３７が配設されている。
【００３１】
普通変動入賞装置３７の一対の開閉部材３７ｂ，３７ｂは、常時は遊技球の直径程度の間隔をおいた閉じた閉状態（遊技者にとって不利な状態）を保持している。ただし、普通変動入賞装置３７の上方には、始動入賞口３６が設けられているので、閉じた状態では遊技球が入賞できないようになっている。
そして、普図変動表示ゲームの結果が所定の停止表示態様となった場合には、駆動装置としての普電ソレノイド３７ｃ（図３参照）によって、逆「ハ」の字状に開いて普通変動入賞装置３７に遊技球が流入し易い開状態（遊技者にとって有利な状態）に変化させられるようになっている。
【００３２】
さらに、普通変動入賞装置３７の下方には、特図変動表示ゲームの結果によって遊技球を受け入れない状態と受け入れ易い状態とに変換可能な特別変動入賞装置（大入賞口）３８が配設されている。
【００３３】
特別変動入賞装置３８は、上端側が手前側に倒れる方向に回動して開放可能になっているアタッカ形式の開閉扉３８ｃを有しており、補助遊技としての特図変動表示ゲームの結果如何によって大入賞口を閉じた状態（遊技者にとって不利な閉塞状態）から開放状態（遊技者にとって有利な状態）に変換する。
即ち、特別変動入賞装置３８は、例えば、駆動装置としての大入賞口ソレノイド３８ｂ（図３参照）により駆動される開閉扉３８ｃによって開閉される大入賞口を備え、特別遊技状態中は、大入賞口を閉じた状態から開いた状態に変換することにより大入賞口内への遊技球の流入を容易にさせ、遊技者に所定の遊技価値（賞球）を付与するようになっている。
なお、大入賞口の内部（入賞領域）には、当該大入賞口に入った遊技球を検出する検出手段としてのカウントスイッチ３８ａ（図３参照）が配設されている。
特別変動入賞装置３８の下方には、入賞口などに入賞しなかった遊技球を回収するアウト口３９が設けられている。
【００３４】
また、遊技領域３２の外側（例えば、遊技盤３０の右下部）には、特図変動表示ゲームをなす第１特図変動表示ゲームや第２特図変動表示ゲーム及び普図始動ゲート３４への入賞をトリガとする普図変動表示ゲームを一箇所で実行する一括表示装置５０が設けられている。
【００３５】
一括表示装置５０は、７セグメント型の表示器（ＬＥＤランプ）等で構成された第１特図変動表示ゲーム用の第１特図変動表示部（第１特図表示器）５１及び第２特図変動表示ゲーム用の第２特図変動表示部（第２特図表示器）５２と、を備える。また、一括表示装置５０には、図示は省略するが、普図変動表示ゲーム用の変動表示部（普図表示器）、ＬＥＤランプ４つで構成された特図１変動表示ゲームの始動記憶数報知用の特図１保留表示器および特図２変動表示ゲームの始動記憶数報知用の特図２保留表示器、ＬＥＤランプ２つで構成された普図変動表示ゲームの始動記憶数報知用の普図保留表示器、大当りが発生すると点灯して大当り発生を報知する第１遊技状態表示器、時短状態が発生すると点灯して時短状態発生を報知する第２遊技状態表示器、遊技機１０の電源投入時に大当りの確率状態が高確率状態となっていることを表示する高確率報知器、大当り時のラウンド数（特別変動入賞装置３８の開閉回数）を表示するラウンド数表示器が設けられている。
【００３６】
第１特図表示器５１と第２特図表示器５２における特図変動表示ゲームは、例えば変動表示ゲームの実行中、即ち、表示装置４１において飾り特図変動表示ゲームを行っている間は、中央のセグメントを点滅駆動させて変動中であることを表示する。そして、ゲームの結果が「はずれ」のときは、はずれの結果態様として例えば中央のセグメントを点灯状態にし、ゲームの結果が「大当り」のときは、当りの結果態様（特別結果態様）としてはずれの結果態様以外の結果態様（例えば「３」や「７」の数字等）を点灯状態にしてゲーム結果を表示する。
【００３７】
本実施形態の遊技機１０では、打球発射装置から遊技領域３２に向けて遊技球（パチンコ球）が打ち出されることによって遊技が行われる。打ち出された遊技球は、遊技領域３２内の各所に配置された障害釘や風車等の方向転換部材によって転動方向を変えながら遊技領域３２を流下し、普図始動ゲート３４、一般入賞口３５、始動入賞口３６、普通変動入賞装置３７又は特別変動入賞装置３８に入賞するか、遊技領域３２の最下部に設けられたアウト口３９へ流入し遊技領域から排出される。そして、一般入賞口３５、始動入賞口３６、普通変動入賞装置３７又は特別変動入賞装置３８に遊技球が入賞すると、入賞した入賞口の種類に応じた数の賞球が、払出制御装置２００によって制御される払出ユニットから、前面枠１２の上皿２１又は下皿２３に排出される。
【００３８】
一方、普図始動ゲート３４内には、該普図始動ゲート３４を通過した遊技球を検出するための非接触型のスイッチなどからなるゲートスイッチ３４ａ（図３参照）が設けられており、遊技領域３２内に打ち込まれた遊技球が普図始動ゲート３４内を通過すると、ゲートスイッチ３４ａにより検出されて普図変動表示ゲームが行われる。
また、普図変動表示ゲームを開始できない状態、例えば、既に普図変動表示ゲームが行われ、その普図変動表示ゲームが終了していない状態や、普図変動表示ゲームが当って普通変動入賞装置３７が開状態に変換されている場合に、普図始動ゲート３４を遊技球が通過すると、普図始動記憶数の上限数未満でならば、普図始動記憶数が加算（＋１）されて普図始動記憶が１つ記憶されることとなる。この普図始動入賞の記憶数は、一括表示装置５０の始動入賞数報知用の普図保留表示器（図示省略）に表示される。
また、普図始動記憶には、普図変動表示ゲームの当りはずれを決定するための当り判定用乱数値が記憶されるようになっていて、この当り判定用乱数値が判定値と一致した場合に、当該普図変動表示ゲームが当りとなって特定の結果態様（特定結果）が導出されることとなる。
【００３９】
普図変動表示ゲームは、一括表示装置５０に設けられた変動表示部（普図表示器）（図示省略）で実行されるようになっている。普図表示器は、普通識別情報（普図、普通図柄）として点灯状態の場合に当りを示し、消灯状態の場合にはずれを示すＬＥＤから構成され、このＬＥＤを点滅表示することで普通識別情報の変動表示を行い、所定の変動表示時間の経過後、ＬＥＤを点灯又は消灯することで結果を表示するようになっている。
なお、普通識別情報として例えば数字、記号、キャラクタ図柄などを用い、これを所定時間変動表示させた後、停止表示させることにより行うように構成しても良い。この普図変動表示ゲームの停止表示が特定結果となれば、普図の当りとなって、普通変動入賞装置３７の一対の可動部材３７ｂが所定時間（例えば、０．３秒間）開放される開状態となる。これにより、普通変動入賞装置３７の内部の第２始動入賞口へ遊技球が入賞し易くなり、第２特図変動表示ゲームが実行される回数が多くなる。
【００４０】
普図始動ゲート３４への通過検出時に抽出した普図乱数値が当り値であるときには、普図表示器に表示される普通図柄が当り状態で停止し、当り状態となる。このとき、普通変動入賞装置３７は、内蔵されている普電ソレノイド３７ｃ（図３参照）が駆動されることにより、可動部材３７ｂが所定の時間（例えば、０．３秒間）だけ開放する状態に変換され、遊技球の入賞が許容される。
【００４１】
始動入賞口３６への入賞球及び普通変動入賞装置３７への入賞球は、それぞれは内部に設けられた始動口１スイッチ３６ａと始動口２スイッチ３７ａによって検出される。始動入賞口３６へ入賞した遊技球は第１特図変動表示ゲームの始動入賞球として検出され、所定の上限数（例えば、４個）を限度に記憶されるとともに、普通変動入賞装置３７へ入賞した遊技球は第２特図変動表示ゲームの始動入賞球として検出され、所定の上限数（例えば、４個）を限度に記憶される。
また、この始動入賞球の検出時にそれぞれ大当り乱数値や大当り図柄乱数値、並びに各変動パターン乱数値が抽出され、抽出された乱数値は、遊技制御装置１００（図３参照）内の特図記憶領域（ＲＡＭの一部）に特図始動記憶として各々所定回数（例えば、最大で４回分）を限度に記憶される。そして、この特図始動記憶の記憶数は、一括表示装置５０の始動入賞数報知用の特図１、特図２保留表示器（図示省略）に表示されるとともに、センターケース４０の表示装置４１においても表示される。
ここで、遊技制御装置１００は、始動入賞領域である始動入賞口３６，普通変動入賞装置３７への遊技球の入賞に基づき、特図変動表示ゲームの実行権利を始動記憶として所定の上限数まで乱数値とともに記憶する始動記憶手段として機能する。
【００４２】
遊技制御装置１００は、始動入賞口３６若しくは普通変動入賞装置３７への入賞、又はそれらの始動記憶に基づいて、特図１表示器５１又は特図２表示器５２で第１又は第２特図変動表示ゲームを行う。
第１特図変動表示ゲーム及び第２特図変動表示ゲームは、複数の特別図柄（特図、識別情報）を変動表示したのち、所定の結果態様を停止表示することで行われる。また、表示装置４１にて各特図変動表示ゲームに対応して複数種類の識別情報（例えば、数字、記号、キャラクタ図柄など）を変動表示させる飾り特図変動表示ゲームが実行されるようになっている。
そして、特図変動表示ゲームの結果として、特図１表示器５１若しくは特図２表示器５２の表示態様が特別結果態様となった場合には、大当りとなって特別遊技状態（いわゆる、大当り状態）となる。また、これに対応して表示装置４１の表示態様も特別結果態様となる。
【００４３】
表示装置４１における飾り特図変動表示ゲームは、例えば前述した数字等で構成される飾り特別図柄（識別情報）が左（第一特別図柄）、右（第二特別図柄）、中（第三特別図柄）の順に変動表示を開始して、所定時間後に変動している図柄を順次停止させて、特図変動表示ゲームの結果を表示することで行われる。また、表示装置４１では、特図始動記憶数に対応する飾り特別図柄による変動表示ゲームを行うとともに、興趣向上のためにキャラクタの出現など多様な演出表示が行われる。
【００４４】
なお、特図１表示器５１、特図２表示器５２は、別々の表示器でも良いし同一の表示器でも良いが、各々独立して、また、同時には実行しないように各特図変動表示ゲームが表示される。また、表示装置４１も、第１特図変動表示ゲームと第２特図変動表示ゲームで別々の表示装置や別々の表示領域を使用するとしても良いし、同一の表示装置や表示領域を使用するとしても良いが、各々独立して、また、同時には実行しないように飾り特図変動表示ゲームが表示される。また、遊技機１０に特図１表示器５１、特図２表示器５２を備えずに、表示装置４１のみで特図変動表示ゲームを実行するようにしても良い。
また、第２特図変動表示ゲームは、第１特図変動表示ゲームよりも優先して実行されるようになっている。即ち、第１特図変動表示ゲームと第２特図変動表示ゲームの始動記憶がある場合であって、特図変動表示ゲームの実行が可能となった場合は、第２特図変動表示ゲームが実行されるようになっている。
【００４５】
また、第１特図変動表示ゲーム（第２特図変動表示ゲーム）が開始可能な状態で、且つ、始動記憶数が０の状態で、始動入賞口３６（若しくは、普通変動入賞装置３７）に遊技球が入賞すると、始動権利の発生に伴って始動記憶が記憶されて、始動記憶数が１加算されるととともに、直ちに始動記憶に基づいて、第１特図変動表示ゲーム（第２特図変動表示ゲーム）が開始され、この際に始動記憶数が１減算される。
一方、第１特図変動表示ゲーム（第２特図変動表示ゲーム）が直ちに開始できない状態、例えば、既に第１若しくは第２特図変動表示ゲームが行われ、その特図変動表示ゲームが終了していない状態や、特別遊技状態となっている場合に、始動入賞口３６（若しくは、普通変動入賞装置３７）に遊技球が入賞すると、始動記憶数が上限数未満ならば、始動記憶数が１加算されて始動記憶が１つ記憶されることになる。そして、始動記憶数が１以上となった状態で、第１特図変動表示ゲーム（第２特図変動表示ゲーム）が開始可能な状態（前回の特図変動表示ゲームの終了若しくは特別遊技状態の終了）となると、始動記憶数が１減算されるとともに、記憶された始動記憶に基づいて第１特図変動表示ゲーム（第２特図変動表示ゲーム）が開始される。
なお、以下の説明において、第１特図変動表示ゲームと第２特図変動表示ゲームを区別しない場合は、単に特図変動表示ゲームと称する。
【００４６】
なお、特に限定されるわけではないが、上記始動入賞口３６内の始動口１スイッチ３６ａ、普通変動入賞装置３７内の始動口２スイッチ３７ａ、ゲートスイッチ３４ａ、一般入賞口スイッチ３５ａ〜３５ｎ、カウントスイッチ３８ａには、磁気検出用のコイルを備え該コイルに金属が近接すると磁界が変化する現象を利用して遊技球を検出する非接触型の磁気近接センサ（以下、近接スイッチと称する）が使用されている。遊技機１０のガラス枠１５等に設けられた前枠開放検出スイッチ６３や前面枠（遊技枠）１２等に設けられた遊技枠開放検出スイッチ６４には、機械的な接点を有するマイクロスイッチを用いることができる。
【００４７】
図３は、本実施形態の遊技機１０の制御システムのブロック図である。
遊技機１０は遊技制御装置１００を備え、遊技制御装置１００は、遊技を統括的に制御する主制御装置（主基板）であって、遊技用マイクロコンピュータ（以下、遊技用マイコンと称する）１１１を有するＣＰＵ部１１０と、入力ポートを有する入力部１２０と、出力ポートやドライバなどを有する出力部１３０、ＣＰＵ部１１０と入力部１２０と出力部１３０との間を接続するデータバス１４０などからなる。
【００４８】
上記ＣＰＵ部１１０は、アミューズメントチップ（ＩＣ）と呼ばれる遊技用マイコン（ＣＰＵ）１１１と、入力部１２０内の近接スイッチ用のインタフェースチップ（近接Ｉ／Ｆ）１２１からの信号（始動入賞検出信号）を論理反転して遊技用マイコン１１１に入力させるインバータなどからなる反転回路１１２と、水晶振動子のような発振子を備え、ＣＰＵの動作クロックやタイマ割込み、乱数生成回路の基準となるクロックを生成する発振回路（水晶発振器）１１３などを有する。遊技制御装置１００及び該遊技制御装置１００によって駆動されるソレノイドやモータなどの電子部品には、電源装置４００で生成されたＤＣ３２Ｖ，ＤＣ１２Ｖ，ＤＣ５Ｖなど所定のレベルの直流電圧が供給されて動作可能にされる。
【００４９】
電源装置４００は、２４Ｖの交流電源から上記ＤＣ３２Ｖの直流電圧を生成するＡＣ−ＤＣコンバータやＤＣ３２Ｖの電圧からＤＣ１２Ｖ，ＤＣ５Ｖなどのより低いレベルの直流電圧を生成するＤＣ−ＤＣコンバータなどを有する通常電源部４１０と、遊技用マイコン１１１の内部のＲＡＭに対して停電時に電源電圧を供給するバックアップ電源部４２０と、停電監視回路や初期化スイッチを有し遊技制御装置１００に停電の発生、回復を知らせる停電監視信号や初期化スイッチ信号、リセット信号などの制御信号を生成して出力する制御信号生成部４３０などを備える。
【００５０】
この実施形態では、電源装置４００は、遊技制御装置１００と別個に構成されているが、バックアップ電源部４２０及び制御信号生成部４３０は、別個の基板上あるいは遊技制御装置１００と一体、即ち、主基板上に設けるように構成してもよい。遊技盤３０及び遊技制御装置１００は機種変更の際に交換の対象となるので、実施例のように、電源装置４００若しくは主基板とは別の基板にバックアップ電源部４２０及び制御信号生成部４３０を設けることにより、交換の対象から外しコストダウンを図ることができる。
【００５１】
上記バックアップ電源部４２０は、電解コンデンサのような大容量のコンデンサ１つで構成することができる。バックアップ電源は、遊技制御装置１００の遊技用マイコン１１１（特に内蔵ＲＡＭ）に供給され、停電中あるいは電源遮断後もＲＡＭに記憶されたデータが保持されるようになっている。制御信号生成部４３０は、例えば通常電源部４１０で生成された３２Ｖの電圧を監視してそれが例えば１７Ｖ以下に下がると停電発生を検出して停電監視信号を変化させるとともに、所定時間後にリセット信号を出力する。また、電源投入時や停電回復時にもその時点から所定時間経過後にリセット信号を出力する。
【００５２】
初期化スイッチ信号は初期化スイッチがオン状態にされたときに生成される信号で、遊技用マイコン１１１内のＲＡＭ１１１Ｃ及び払出制御装置２００内のＲＡＭに記憶されている情報を強制的に初期化する。特に限定されるわけではないが初期化スイッチ信号は電源投入時に読み込まれ、停電監視信号は遊技用マイコン１１１が実行するメインプログラムのメインループの中で繰り返し読み込まれる。リセット信号は強制割込み信号の一種であり、制御システム全体をリセットさせる。
【００５３】
遊技用マイコン１１１は、遊技を統括的に制御する制御手段を構成している。具体的には、遊技用マイコン１１１は、ＣＰＵ（中央処理ユニット：マイクロプロセッサ）１１１Ａ、読出し専用のＲＯＭ（リードオンリメモリ）１１１Ｂ及び随時読出し書込み可能なＲＡＭ（ランダムアクセスメモリ）１１１Ｃを備える。
【００５４】
ＲＯＭ１１１Ｂは、遊技制御のための不変の情報（プログラム、固定データ、各種乱数の判定値等）を不揮発的に記憶し、ＲＡＭ１１１Ｃは、遊技制御時にＣＰＵ１１１Ａの作業領域や各種信号や乱数値の記憶領域として利用される。ＲＯＭ１１１Ｂ又はＲＡＭ１１１Ｃとして、ＥＥＰＲＯＭのような電気的に書換え可能な不揮発性メモリを用いてもよい。
【００５５】
また、ＲＯＭ１１１Ｂは、例えば、特図変動表示ゲームの実行時間、演出内容、リーチ状態の発生の有無などを規定する変動パターンを決定するための変動パターンテーブルを記憶している。
変動パターンテーブルとは、始動記憶として記憶されている変動パターン乱数１〜３をＣＰＵ１１１Ａが参照して変動パターンを決定するためのテーブルである。また、変動パターンテーブルには、結果がはずれとなる場合に選択されるはずれ変動パターンテーブル、結果が１５Ｒ確変当りや２Ｒ確変当りとなる場合に選択される大当り変動パターンテーブル等が含まれる。
【００５６】
また、リーチ（リーチ状態）とは、表示状態が変化可能な表示装置を有し、該表示装置が時期を異ならせて複数の表示結果を導出表示し、該複数の表示結果が予め定められた特別結果態様となった場合に、遊技状態が遊技者にとって有利な遊技状態（特別遊技状態）となる遊技機１０において、複数の表示結果の一部がまだ導出表示されていない段階で、既に導出表示されている表示結果が特別結果態様となる条件を満たしている表示状態をいう。また、別の表現をすれば、リーチ状態とは、表示装置の変動表示制御が進行して表示結果が導出表示される前段階にまで達した時点でも、特別結果態様となる表示条件からはずれていない表示態様をいう。そして、例えば、特別結果態様が揃った状態を維持しながら複数の変動表示領域による変動表示を行う状態（いわゆる全回転リーチ）もリーチ状態に含まれる。また、リーチ状態とは、表示装置の表示制御が進行して表示結果が導出表示される前段階にまで達した時点での表示状態であって、表示結果が導出表示される以前に決定されている複数の変動表示領域の表示結果の少なくとも一部が特別結果態様となる条件を満たしている場合の表示状態をいう。
【００５７】
よって、例えば、特図変動表示ゲームに対応して表示装置に表示される飾り特図変動表示ゲームが、表示装置における左、中、右の変動表示領域の各々で所定時間複数の識別情報を変動表示した後、左、右、中の順で変動表示を停止して結果態様を表示するものである場合、左、右の変動表示領域で、特別結果態様となる条件を満たした状態（例えば、同一の識別情報）で変動表示が停止した状態がリーチ状態となる。またこの他に、すべての変動表示領域の変動表示を一旦停止した時点で、左、中、右のうち何れか二つの変動表示領域で特別結果態様となる条件を満たした状態（例えば、同一の識別情報となった状態、ただし特別結果態様は除く）をリーチ状態とし、このリーチ状態から残りの一つの変動表示領域を変動表示するようにしても良い。そして、このリーチ状態には複数のリーチ演出が含まれ、特別結果態様が導出される可能性が異なる（信頼度が異なる）リーチ演出として、ノーマルリーチ、スペシャル１リーチ、スペシャル２リーチ、スペシャル３リーチ等が設定されている。
【００５８】
なお、信頼度は、リーチなし＜ノーマルリーチ＜スペシャル１リーチ＜スペシャル２リーチ＜スペシャル３リーチの順に高くなるようになっている。また、このリーチ状態は、少なくとも特図変動表示ゲームで特別結果態様が導出される場合（大当りとなる場合）における変動表示態様に含まれるようになっている。即ち、特図変動表示ゲームで特別結果態様が導出されないと判定すると（はずれとなる場合）における変動表示態様に含まれることもある。よって、リーチ状態が発生した状態は、リーチ状態が発生しない場合に比べて大当りとなる可能性の高い状態である。
【００５９】
ＣＰＵ１１１Ａは、ＲＯＭ１１１Ｂ内の遊技制御用プログラムを実行して、払出制御装置２００や演出制御装置３００に対する制御信号（コマンド）を生成したりソレノイドや表示装置の駆動信号を生成して出力して遊技機１０全体の制御を行う。
また、図示しないが、遊技用マイコン１１１は、特図変動表示ゲームの大当り判定用乱数（大当り判定用乱数）や大当りの図柄を決定するための大当り図柄用乱数、特図変動表示ゲームでの変動パターン（各種リーチやリーチ無しの変動表示における変動表示ゲームの実行時間等を含む）を決定するための変動パターン乱数（変動態様決定用乱数）、普図変動表示ゲームの当たり判定用乱数等を生成するための乱数生成回路と、発振回路１１３からの発振信号（原クロック信号）に基づいてＣＰＵ１１１Ａに対する所定周期（例えば、４ミリ秒）のタイマ割込み信号や乱数生成回路の更新タイミングを与えるクロックを生成するクロックジェネレータを備えている。
【００６０】
また、ＣＰＵ１１１Ａは、後述する特図ゲーム処理における始動口スイッチ監視処理（ステップＡ１）や特図普段処理（ステップＡ９）にて、ＲＯＭ１１１Ｂに記憶されている複数の変動パターンテーブルの中から、何れか一の変動パターンテーブルを取得する。具体的には、ＣＰＵ１１１Ａは、特図変動表示ゲームの遊技結果（大当り或いははずれ）や、現在の遊技状態としての特図変動表示ゲームの確率状態（通常確率状態或いは高確率状態）、現在の遊技状態としての普通変動入賞装置３７の動作状態（通常動作状態或いは時短動作状態）、始動記憶数、停電復旧直後等の所定のタイミングなどに基づいて、複数の変動パターンテーブルの中から、何れか一の変動パターンテーブルを選択して取得する。
【００６１】
払出制御装置２００は、図示しないが、ＣＰＵ、ＲＯＭ、ＲＡＭ、入力インタフェース、出力インタフェース等を備え、遊技制御装置１００からの賞球払出し指令（コマンドやデータ）に従って、払出ユニットの払出モータを駆動させ、賞球を払い出させるための制御を行う。また、払出制御装置２００は、カードユニットからの貸球要求信号に基づいて払出ユニットの払出モータを駆動させ、貸球を払い出させるための制御を行う。
【００６２】
遊技用マイコン１１１の入力部１２０には、始動入賞口３６内の始動口１スイッチ３６ａ、普通変動入賞装置３７内の始動口２スイッチ３７ａ、普図始動ゲート３４内のゲートスイッチ３４ａ、一般入賞口スイッチ３５ａ〜３５ｎ、カウントスイッチ３８ａに接続され、これらのスイッチから供給されるハイレベルが１１Ｖでロウレベルが７Ｖのような負論理の信号が入力され、０Ｖ−５Ｖの正論理の信号に変換するインタフェースチップ（近接Ｉ／Ｆ）１２１が設けられている。近接Ｉ／Ｆ１２１は、入力の範囲が７Ｖ−１１Ｖとされることで、近接スイッチのリード線が不正にショートされたり、スイッチがコネクタから外されたり、リード線が切断されてフローティングになったような異常な状態を検出することができ、異常検知信号を出力するように構成されている。
【００６３】
近接Ｉ／Ｆ１２１の出力はすべて第２入力ポート１２２へ供給されデータバス１４０を介して遊技用マイコン１１１に読み込まれるとともに、主基板１００から中継基板７０を介して図示しない試射試験装置へ供給されるようになっている。また、近接Ｉ／Ｆ１２１の出力のうち始動口１スイッチ３６ａと始動口２スイッチ３７ａの検出信号は、第２入力ポート１２２の他、反転回路１１２を介して遊技用マイコン１１１へ入力されるように構成されている。反転回路１１２を設けているのは、遊技用マイコン１１１の信号入力端子が、マイクロスイッチなどからの信号が入力されることを想定し、かつ負論理、即ち、ロウレベル（０Ｖ）を有効レベルとして検知するように設計されているためである。
【００６４】
従って、始動口１スイッチ３６ａと始動口２スイッチ３７ａとしてマイクロスイッチを使用する場合には、反転回路１１２を設けずに直接遊技用マイコン１１１へ検出信号を入力させるように構成することができる。つまり、始動口１スイッチ３６ａと始動口２スイッチ３７ａからの負論理の信号を直接遊技用マイコン１１１へ入力させたい場合には、近接スイッチを使用することはできない。上記のように近接Ｉ／Ｆ１２１は、信号のレベル変換機能を有する。このようなレベル変換機能を可能にするため、近接Ｉ／Ｆ１２１には、電源装置４００から通常のＩＣの動作に必要な例えば５Ｖのような電圧の他に、１２Ｖの電圧が供給されるようになっている。
【００６５】
また、入力部１２０には、遊技機１０の前面枠１２等に設けられた不正検出用の磁気センサスイッチ６１及び振動センサスイッチ６２からの信号及び上記近接Ｉ／Ｆ１２１により変換された始動入賞口３６内の始動口１スイッチ３６ａ、普通変動入賞装置３７内の始動口２スイッチ３７ａ、ゲートスイッチ３４ａ、一般入賞口スイッチ３５ａ〜３５ｎ、カウントスイッチ３８ａからの信号を取り込んでデータバス１４０を介して遊技用マイコン１１１に供給する第２入力ポート１２２が設けられている。第２入力ポート１２２が保持しているデータは、遊技用マイコン１１１が第２入力ポート１２２に割り当てられているアドレスをデコードすることによってイネーブル信号ＣＥ１をアサート（有効レベルに変化）することよって、読み出すことができる。後述の他のポートも同様である。
【００６６】
さらに、入力部１２０には、遊技機１０のガラス枠１５等に設けられた前枠開放検出スイッチ６３及び前面枠（遊技枠）１２等に設けられた遊技枠開放検出スイッチ６４からの信号及び払出制御装置２００からの払出異常を示すステータス信号や払出し前の遊技球の不足を示すシュート球切れスイッチ信号、オーバーフローを示すオーバーフロースイッチ信号を取り込んでデータバス１４０を介して遊技用マイコン１１１に供給する第１入力ポート１２３が設けられている。オーバーフロースイッチ信号は、下皿２３に遊技球が所定量以上貯留されていること（満杯になったこと）を検出したときに出力される信号である。
【００６７】
また、入力部１２０には、電源装置４００からの停電監視信号や初期化スイッチ信号、リセット信号などの信号を遊技用マイコン１１１等に入力するためのシュミットトリガ回路１２４が設けられており、シュミットトリガ回路１２４はこれらの入力信号からノイズを除去する機能を有する。電源装置４００からの信号のうち停電監視信号と初期化スイッチ信号は、一旦第１入力ポート１２３に入力され、データバス１４０を介して遊技用マイコン１１１に取り込まれる。つまり、前述の各種スイッチからの信号と同等の信号として扱われる。遊技用マイコン１１１に設けられている外部からの信号を受ける端子の数には制約があるためである。
【００６８】
一方、シュミットトリガ回路１２４によりノイズ除去されたリセット信号ＲＳＴは、遊技用マイコン１１１に設けられているリセット端子に直接入力されるとともに、出力部１３０の各ポートに供給される。また、リセット信号ＲＳＴは出力部１３０を介さずに直接中継基板７０に出力することで、試射試験装置へ出力するために中継基板７０のポート（図示省略）に保持される試射試験信号をオフするように構成されている。また、リセット信号ＲＳＴを中継基板７０を介して試射試験装置へ出力可能に構成するようにしてもよい。なお、リセット信号ＲＳＴは入力部１２０の各ポート１２２，１２３には供給されない。リセット信号ＲＳＴが入る直前に遊技用マイコン１１１によって出力部１３０の各ポートに設定されたデータはシステムの誤動作を防止するためリセットする必要があるが、リセット信号ＲＳＴが入る直前に入力部１２０の各ポートから遊技用マイコン１１１が読み込んだデータは、遊技用マイコン１１１のリセットによって廃棄されるためである。
【００６９】
出力部１３０は、データバス１４０に接続され払出制御装置２００へ出力する４ビットのデータ信号とデータの有効／無効を示す制御信号（データストローブ信号）及び演出制御装置３００へ出力するデータストローブ信号ＳＳＴＢを生成する第１出力ポート１３１と、演出制御装置３００へ出力する８ビットのデータ信号を生成する第２出力ポート１３２とを備える。遊技制御装置１００から払出制御装置２００及び演出制御装置３００へは、パラレル通信でデータが送信される。また、出力部１３０には、演出制御装置３００の側から遊技制御装置１００へ信号を入力できないようにするため、即ち、片方向通信を担保するために第１出力ポート１３１からの上記データストローブ信号ＳＳＴＢ及び第２出力ポート１３２からの８ビットのデータ信号を出力する単方向のバッファ１３３が設けられている。なお、第１出力ポート１３１から払出制御装置２００へ出力する信号に対してもバッファを設けるようにしてもよい。
【００７０】
さらに、出力部１３０には、データバス１４０に接続され図示しない認定機関の試射試験装置へ変動表示ゲームの特図図柄情報を知らせるデータや大当りの確率状態を示す信号などを中継基板７０を介して出力するバッファ１３４が実装可能に構成されている。このバッファ１３４は遊技店に設置される実機（量産販売品）としてのパチンコ遊技機の遊技制御装置（主基板）には実装されない部品である。なお、前記近接Ｉ／Ｆ１２１から出力される始動口スイッチなど加工の必要のないスイッチの検出信号は、バッファ１３４を通さずに中継基板７０を介して試射試験装置へ供給される。
【００７１】
一方、磁気センサスイッチ６１や振動センサスイッチ６２のようにそのままでは試射試験装置へ供給できない検出信号は、一旦遊技用マイコン１１１に取り込まれて他の信号若しくは情報に加工されて、例えば遊技機が遊技制御できない状態であることを示すエラー信号としてデータバス１４０からバッファ１３４、中継基板７０を介して試射試験装置へ供給される。なお、中継基板７０には、上記バッファ１３４から出力された信号を取り込んで試射試験装置へ供給するポートや、バッファを介さないスイッチの検出信号の信号線を中継して伝達するコネクタなどが設けられている。中継基板７０上のポートには、遊技用マイコン１１１から出力されるチップイネーブル信号ＣＥも供給され、該信号ＣＥにより選択制御されたポートの信号が試射試験装置へ供給されるようになっている。
【００７２】
また、出力部１３０には、データバス１４０に接続され特別変動入賞装置３８を開成させるソレノイド（大入賞口ソレノイド）３８ｂや普通変動入賞装置３７の可動部材３７ｂを開成させるソレノイド（普電ソレノイド）３７ｃの開閉データと、一括表示装置５０のＬＥＤのカソード端子が接続されているデジット線のオン／オフデータを出力するための第３出力ポート１３５、一括表示装置５０に表示する内容に応じてＬＥＤのアノード端子が接続されているセグメント線のオン／オフデータを出力するための第４出力ポート１３６、大当り情報など遊技機１０に関する情報を外部情報端子７１へ出力するための第５出力ポート１３７が設けられている。外部情報端子７１から出力された遊技機１０に関する情報は、例えば遊技店に設置された情報収集端末や遊技場内部管理装置（図示省略）に供給される。
【００７３】
さらに、出力部１３０には、第３出力ポート１３５から出力される大入賞口ソレノイド３８ｂの開閉データ信号を受けてソレノイド駆動信号や普電ソレノイド３７ｃの開閉データ信号を受けてソレノイド駆動信号を生成し出力する第１ドライバ（駆動回路）１３８ａ、第３出力ポート１３５から出力される一括表示装置５０の電流引き込み側のデジット線のオン／オフ駆動信号を出力する第２ドライバ１３８ｂ、第４出力ポート１３６から出力される一括表示装置５０の電流供給側のセグメント線のオン／オフ駆動信号を出力する第３ドライバ１３８ｃ、第５出力ポート１３７から管理装置等の外部装置へ供給する外部情報信号を外部情報端子７１へ出力する第４ドライバ１３８ｄが設けられている。
【００７４】
上記第１ドライバ１３８ａには、３２Ｖで動作するソレノイドを駆動できるようにするため、電源電圧としてＤＣ３２Ｖが電源装置４００から供給される。また、一括表示装置５０のセグメント線を駆動する第３ドライバ１３８ｃには、ＤＣ１２Ｖが供給される。デジット線を駆動する第２ドライバ１３８ｂは、表示データに応じたデジット線を電流で引き抜くためのものであるため、電源電圧は１２Ｖ又は５Ｖのいずれであってもよい。１２Ｖを出力する第３ドライバ１３８ｃによりセグメント線を介してＬＥＤのアノード端子に電流を流し込み、接地電位を出力する第２ドライバ１３８ｂによりカソード端子よりセグメント線を介して電流を引き抜くことで、ダイナミック駆動方式で順次選択されたＬＥＤに電源電圧が流れて点灯される。外部情報信号を外部情報端子７１へ出力する第４ドライバ１３８ｄは、外部情報信号に１２Ｖのレベルを与えるため、ＤＣ１２Ｖが供給される。なお、バッファ１３４や第３出力ポート１３５、第１ドライバ１３８ａ等は、遊技制御装置１００の出力部１３０、即ち、主基板ではなく、中継基板７０側に設けるようにしてもよい。
【００７５】
さらに、出力部１３０には、外部の検査装置５００へ各遊技機の識別コードやプログラムなどの情報を送信するためのフォトカプラ１３９が設けられている。フォトカプラ１３９は、遊技用マイコン１１１が検査装置５００との間でシリアル通信によってデータの送受信を行なえるように双方通信可能に構成されている。なお、かかるデータの送受信は、通常の汎用マイクロプロセッサと同様に遊技用マイコン１１１が有するシリアル通信端子を利用して行なわれるため、入力ポート１２２，１２３のようなポートは設けられていない。
【００７６】
次に、図４を用いて、演出制御装置３００の構成について説明する。
演出制御装置３００は、遊技用マイコン１１１と同様にアミューズメントチップ（ＩＣ）からなる主制御用マイコン（１ｓｔＣＰＵ）３１１と、該１ｓｔＣＰＵ３１１の制御下でもっぱら映像制御を行う映像制御用マイコン（２ｎｄＣＰＵ）３１２と、該２ｎｄＣＰＵ３１２からのコマンドやデータに従って表示装置４１への映像表示のための画像処理を行うグラフィックプロセッサとしてのＶＤＰ（Video Display Processor）３１３と、各種のメロディや効果音などをスピーカ１９ａ，１９ｂから再生させるため音の出力を制御する音源ＬＳＩ３１４を備えている。
【００７７】
上記主制御用マイコン（１ｓｔＣＰＵ）３１１と映像制御用マイコン（２ｎｄＣＰＵ）３１２には、各ＣＰＵが実行するプログラムを格納したＰＲＯＭ（プログラマブルリードオンリメモリ）からなるプログラムＲＯＭ３２１、３２２がそれぞれ接続され、ＶＤＰ３１３にはキャラクタ画像や映像データが記憶された画像ＲＯＭ３２３が接続され、音源ＬＳＩ３１４には音声データが記憶された音声ＲＯＭ３２４が接続されている。主制御用マイコン（１ｓｔＣＰＵ）３１１は、遊技用マイコン１１１からのコマンドを解析し、演出内容を決定して映像制御用マイコン３１２へ出力映像の内容を指示したり、音源ＬＳＩ３１４への再生音の指示、装飾ランプの点灯、モータの駆動制御、演出時間の管理などの処理を実行する。主制御用マイコン（１ｓｔＣＰＵ）３１１と映像制御用マイコン（２ｎｄＣＰＵ）３１２の作業領域を提供するＲＡＭは、それぞれのチップ内部に設けられている。なお、作業領域を提供するＲＡＭはチップの外部に設けるようにしてもよい。
【００７８】
特に限定されるわけではないが、主制御用マイコン（１ｓｔＣＰＵ）３１１と映像制御用マイコン（２ｎｄＣＰＵ）３１２との間、主制御用マイコン（１ｓｔＣＰＵ）３１１と音源ＬＳＩ３１４との間は、それぞれシリアル方式でデータの送受信が行なわれ、映像制御用マイコン（２ｎｄＣＰＵ）３１２との間、主制御用マイコン（１ｓｔＣＰＵ）３１１とＶＤＰ３１３との間は、パラレル方式でデータの送受信が行なわれるように構成されている。パラレル方式でデータを送受信することで、シリアルの場合よりも短時間にコマンドやデータを送信することができる。ＶＤＰ３１３には、画像ＲＯＭ３２３から読み出されたキャラクタなどの画像データを展開したり加工したりするのに使用される超高速なＶＲＡＭ（ビデオＲＡＭ）３１３ａや、画像を拡大、縮小処理するためのスケーラ３１３ｂ、ＬＶＤＳ（小振幅信号伝送）方式で表示装置４１へ送信する映像信号を生成する信号変換回路３１３ｃなどが設けられている。
【００７９】
ＶＤＰ３１３から主制御用マイコン３１１へは表示装置４１の映像と前面枠１２や遊技盤３０に設けられている装飾ランプの点灯を同期させるために垂直同期信号ＶＳＹＮＣが入力される。さらに、ＶＤＰ３１３から映像制御用マイコン３１２へは、ＶＲＡＭへの描画の終了等処理状況を知らせるため割込み信号ＩＮＴ０〜ｎ及び映像制御用マイコン３１２からのコマンドやデータの受信待ちの状態にあることを知らせるためのウェイト信号ＷＡＩＴが入力される。また、映像制御用マイコン３１２から主制御用マイコン３１１へは、映像制御用マイコン３１２が正常に動作していることを知らせるとともにコマンドの送信タイミングを与える同期信号ＳＹＮＣが入力される。主制御用マイコン３１１と音源ＬＳＩ３１４との間は、ハンドシェイク方式でコマンドやデータの送受信を行うために、呼び掛け（コール）信号ＣＴＳと応答（レスポンス）信号ＲＴＳが交換される。
【００８０】
なお、映像制御用マイコン（２ｎｄＣＰＵ）３１２には、主制御用マイコン（１ｓｔＣＰＵ）３１１よりも高速なつまり高価なＣＰＵが使用されている。主制御用マイコン（１ｓｔＣＰＵ）３１１とは別に映像制御用マイコン（２ｎｄＣＰＵ）３１２を設けて処理を分担させることによって、主制御用マイコン（１ｓｔＣＰＵ）３１１のみでは実現困難な大画面で動きの速い映像を表示装置４１に表示させることが可能となるとともに、映像制御用マイコン（２ｎｄＣＰＵ）３１２と同等な処理能力を有するＣＰＵを２個使用する場合に比べてコストの上昇を抑制することができる。また、ＣＰＵを２つ設けることによって、２つのＣＰＵの制御プログラムを別々に並行して開発することが可能となり、これによって新機種の開発期間を短縮することができる。
【００８１】
また、演出制御装置３００には、遊技制御装置１００から送信されてくるコマンドを受信するインタフェースチップ（コマンドＩ／Ｆ）３３１が設けられている。このコマンドＩ／Ｆ３３１を介して、遊技制御装置１００から演出制御装置３００へ送信された変動開始コマンド、始動口入賞演出コマンド、始動口入賞演出図柄コマンド、客待ちデモコマンド、ファンファーレコマンド、確率情報コマンド、変動停止コマンド、大当り終了コマンド等を、演出制御指令信号として受信する。遊技制御装置１００の遊技用マイコン１１１はＤＣ５Ｖで動作し、演出制御装置３００の主制御用マイコン（１ｓｔＣＰＵ）３１１はＤＣ３．３Ｖで動作するため、コマンドＩ／Ｆ３３１には信号のレベル変換の機能が設けられている。
【００８２】
また、演出制御装置３００には、遊技盤３０（センターケース４０を含む）に設けられているＬＥＤ（発光ダイオード）を有する盤装飾装置（例えばセンターケース４０に設けられたランプ等）４２を駆動制御する盤装飾ＬＥＤ制御回路３３２、前面枠１２に設けられているＬＥＤ（発光ダイオード）を有する枠装飾装置（例えば枠装飾装置１８等）を駆動制御する枠装飾ＬＥＤ制御回路３３３、遊技盤３０（センターケース４０を含む）に設けられている盤演出装置（例えば表示装置４１における演出表示と協働して演出効果を高める電動役物等）４４を駆動制御する盤演出モータ／ＳＯＬ制御回路３３４、前面枠１２に設けられているモータ（例えば前記ムービングライト１６を動作させるモータ等）４５を駆動制御する枠演出モータ制御回路３３５が設けられている。なお、ランプやモータ及びソレノイドなどを駆動制御するこれらの制御回路３３２〜３３５は、アドレス／データバス３４０を介して主制御用マイコン（１ｓｔＣＰＵ）３１１と接続されている。
【００８３】
さらに、演出制御装置３００には、前面枠１２に設けられた演出ボタン２５に内蔵されているスイッチ２５ａや上記盤演出装置４４内のモータの初期位置を検出する演出モータスイッチのオン／オフ状態を検出して主制御用マイコン（１ｓｔＣＰＵ）３１１へ検出信号を入力するスイッチ入力回路３３６、前面枠１２に設けられた上スピーカ１９ａを駆動するオーディオパワーアンプなどからなるアンプ回路３３７ａ、前面枠１２に設けられた下スピーカ１９ｂを駆動するアンプ回路３３７ｂが設けられている。
【００８４】
電源装置４００の通常電源部４１０は、上記のような構成を有する演出制御装置３００やそれによって制御される電子部品に対して所望のレベルの直流電圧を供給するため、モータやソレノイドを駆動するためのＤＣ３２Ｖ、液晶パネルからなる表示装置４１を駆動するためのＤＣ１２Ｖ、コマンドＩ／Ｆ３３１の電源電圧となるＤＣ５Ｖの他に、ＬＥＤやスピーカを駆動するためのＤＣ１８Ｖやこれらの直流電圧の基準としたり電源モニタランプを点灯させるのに使用するＮＤＣ２４Ｖの電圧を生成するように構成されている。さらに、主制御用マイコン（１ｓｔＣＰＵ）３１１や映像制御用マイコン（２ｎｄＣＰＵ）３１２として、３．３Ｖあるいは１．２Ｖのような低電圧で動作するＬＳＩを使用する場合には、ＤＣ５Ｖに基づいてＤＣ３．３ＶやＤＣ１．２Ｖを生成するためのＤＣ−ＤＣコンバータが演出制御装置３００に設けられる。なお、ＤＣ−ＤＣコンバータは通常電源部４１０に設けるようにしてもよい。
【００８５】
電源装置４００の制御信号生成部４３０により生成されたリセット信号ＲＳＴは、主制御用マイコン３１１、映像制御用マイコン３１２、ＶＤＰ３１３、音源ＬＳＩ３１４、ランプやモータなどを駆動制御する制御回路３３２〜３３５、スピーカを駆動するアンプ回路３３７ａ、３３７ｂに供給され、これらをリセット状態にする。また、この実施例においては、映像制御用マイコン３１２の有する汎用のポートを利用して、ＶＤＰ３１３に対するリセット信号を生成して供給する機能を有するように構成されている。これにより、映像制御用マイコン３１２とＶＤＰ３１３の動作の連携性を向上させることができる。
【００８６】
次に、これらの制御回路において行われる遊技制御について説明する。
遊技制御装置１００の遊技用マイコン１１１のＣＰＵ１１１Ａでは、普図始動ゲート３４に備えられたゲートスイッチ３４ａからの遊技球の検出信号の入力に基づき、普図の当り判定用乱数値を抽出してＲＯＭ１１１Ｂに記憶されている判定値と比較し、普図変動表示ゲームの当り外れを判定する処理を行う。そして、普図表示器（図示省略）に、識別図柄を所定時間変動表示した後、停止表示する普図変動表示ゲームを表示する処理を行う。この普図変動表示ゲームの結果が当りの場合は、普図表示器に特別の結果態様を表示するとともに、普電ソレノイド３７ｃを動作させ、普通変動入賞装置３７の可動部材３７ｂ、３７ｂを所定時間（例えば、０．３秒間）上述のように開放する制御を行う。
なお、普図変動表示ゲームの結果がはずれの場合は、普図表示器にはずれの結果態様を表示する制御を行う。
【００８７】
また、始動入賞口３６に備えられた始動口１スイッチ３６ａからの遊技球の検出信号の入力に基づき始動入賞（始動記憶）を記憶し、この始動記憶に基づき、第１特図変動表示ゲームの大当り判定用乱数値を抽出してＲＯＭ１１１Ｂに記憶されている判定値と比較し、第１特図変動表示ゲームの当り外れを判定する処理を行う。
また、普通変動入賞装置３７に備えられた始動口２スイッチ３７ａからの遊技球の検出信号の入力に基づき始動記憶を記憶し、この始動記憶に基づき、第２特図変動表示ゲームの大当り判定用乱数値を抽出してＲＯＭ１１１Ｂに記憶されている判定値と比較し、第２特図変動表示ゲームの当り外れを判定する処理を行う。
【００８８】
そして、遊技制御装置１００のＣＰＵ１１１Ａは、上記の第１特図変動表示ゲームや第２特図変動表示ゲームの判定結果を含む制御信号（演出制御コマンド）を、演出制御装置３００に出力する。そして、特図１表示器５１や特図２表示器５２に、識別図柄を所定時間変動表示した後、停止表示する特図変動表示ゲームを表示する処理を行う。
また、演出制御装置３００では、遊技制御装置１００からの制御信号に基づき、表示装置４１で特図変動表示ゲームに対応した飾り特図変動表示ゲームを表示する処理を行う。
さらに、演出制御装置３００では、遊技制御装置１００からの制御信号に基づき、スピーカ１９ａ，１９ｂからの音の出力、各種ＬＥＤの発光を制御する処理等を行う。
【００８９】
そして、遊技制御装置１００のＣＰＵ１１１Ａは、特図変動表示ゲームの結果が大当りの場合は、特図１表示器５１や特図２表示器５２に特別結果態様を表示するとともに、特別遊技状態を発生させる処理を行う。
例えば、この特図変動表示ゲームの結果として、特図１表示器５１もしくは特図２表示器５２の表示態様が特別結果態様（たとえば「７」）となった場合には、大当りとなって特別遊技状態（いわゆる、大当り状態）となる。
【００９０】
特別遊技状態を発生させる処理においては、ＣＰＵ１１１Ａは、例えば、大入賞口ソレノイド３８ｂにより特別変動入賞装置３８の開閉扉３８ｃを開放させ、大入賞口内への遊技球の流入を可能とする制御を行う。
そして、特図変動表示ゲームの結果が大当りの場合は、大入賞口に所定個数（例えば、１０個）の遊技球が入賞するか、大入賞口の開放から所定時間（例えば、２５秒又は０．５秒）が経過するかの何れかの条件が達成されるまで大入賞口を開放することを１ラウンドとし、これを所定ラウンド回数（例えば、１５回（第１動作態様）又は２回（第２動作態様））継続する（繰り返す）制御（サイクル遊技）を行う。
また、特図変動表示ゲームの結果がはずれの場合は、特図１表示器５１や特図２表示器５２にはずれの結果態様を表示する制御を行う。
【００９１】
また、遊技制御装置１００は、特図変動表示ゲームの結果態様に基づき、特別遊技状態の終了後に、遊技状態として確変状態を発生可能となっている。
この確変状態は、特図変動表示ゲームにて当り結果となる確率が、通常確率状態に比べて高い状態（高確率状態）である。また、第１特図変動表示ゲーム及び第２特図変動表示ゲームのどちらの特図変動表示ゲームの結果態様に基づき確変状態となっても、第１特図変動表示ゲーム及び第２特図変動表示ゲームの両方が確変状態となる。
【００９２】
また、遊技制御装置１００は、特図変動表示ゲームの結果態様に基づき、特別遊技状態の終了後に、遊技状態として時短状態を発生可能となっている。
この時短状態においては、普図変動表示ゲーム及び普通変動入賞装置３７を時短動作状態とする制御を行う。具体的には、時短状態においては、上述の普図変動表示ゲームの実行時間が第１の変動表示時間よりも短い第２の変動表示時間となるように制御され（例えば、１０秒が１秒）、これにより、単位時間当りの普通変動入賞装置３７の開放回数が実質的に多くなるように制御される。また、時短状態においては、普図変動表示ゲームが当り結果となって普通変動入賞装置３７が開放される場合に、開放時間が通常状態の第１開放時間よりも長い第２開放時間となるように制御される（例えば、０．３秒が１．７秒）。また、時短状態においては、普図変動表示ゲームの１回の当り結果に対して、普通変動入賞装置３７の開放回数が１回の第１開放回数ではなく、２回以上の複数回（例えば、３回）の第２開放回数に設定される。
なお、普図変動表示ゲームの実行時間を第２の変動表示時間（例えば、１秒）とする制御と、普通変動入賞装置３７の開放態様を開放時間が第２開放時間（例えば、１．７秒）とし、且つ、普図変動表示ゲームの１回の当り結果に対する開放回数が第２開放回数（例えば、３回）とする制御は、何れか一方のみを行っても良いし、両方を行っても良い。また、時短動作状態においては、普図変動表示ゲームの当り結果となる確率が通常動作状態より高くなるように制御してもよい。
これにより、普通変動入賞装置３７に遊技球が入賞し易くなり、第２特図変動表示ゲームの始動が容易となる。
【００９３】
なお、確変状態と普図変動表示ゲーム及び普通変動入賞装置３７の時短動作状態は、それぞれ独立して発生可能であり、両方を同時に発生することも可能であるし、一方のみを発生させることも可能である。
【００９４】
次に、変動パターンテーブルの種類について、図５及び図６を用いて説明する。
図５には、特図変動表示ゲームの結果がはずれとなる場合に選択される変動パターンテーブルを、図６には、大当りとなる場合に選択される変動パターンテーブルを示す。
【００９５】
図５に示すように、はずれとなる場合に選択される変動パターンテーブルは、はずれ用の変動パターンテーブルＡ〜Ｅの５種類のテーブルで構成されている。
具体的には、変動パターンテーブルＡ〜Ｅのうち、テーブルＡ〜Ｄは、大当り終了後１００回の特図変動表示ゲーム内で選択され、テーブルＥは、大当り終了後１００回以外の通常時に選択される。
【００９６】
はずれ用の変動パターンテーブルＡは、必ずリーチなしの変動パターン（変動時間；２ｓ）が選択されるテーブルであり、大当り終了後１００回の特図変動表示ゲームのうち、予告演出が行われる各予告回数（切替回数）（例えば、１５回；第１予告回数、４５回；第２予告回数、７５回；第３予告回数）、及び当該各予告回数に行われる予告演出に関連した演出を行う所定回数（切替回数）（例えば、３０回；第１所定回数、６０回；第２所定回数、９０回；第３所定回数）以外で選択されるテーブルである。
【００９７】
はずれ用の変動パターンテーブルＢは、必ずリーチなしの変動パターン（変動時間；１２ｓ）が選択されるテーブルであり、大当り終了後１００回の特図変動表示ゲームのうち、第１所定回数、及び、上記各予告回数で選択されるテーブルである。かかるテーブルＢで変動時間の長いリーチなしの変動パターンが選択されるのは、予告演出を実行可能な演出時間を確保するためである。
【００９８】
はずれ用の変動パターンテーブルＣは、必ずノーマルリーチ（Ｎリーチ）の変動パターン（変動時間；１５ｓ）が選択されるテーブルであり、大当り終了後１００回の特図変動表示ゲームのうち、第２所定回数で選択されるテーブルである。
【００９９】
はずれ用の変動パターンテーブルＤは、スペシャルリーチ（ＳＰリーチ）１〜３の変動パターンの何れかが選択されるテーブルであり、大当り終了後１００回の特図変動表示ゲームのうち、第３所定回数で選択されるテーブルである。
【０１００】
はずれ用の変動パターンテーブルＥは、リーチなし、ノーマルリーチ、又はスペシャルリーチ（ＳＰリーチ）１〜３の変動パターンの何れかが選択されるテーブルであり、大当り終了後１００回以外の特図変動表示ゲームで選択されるテーブルである。
【０１０１】
次に、大当りとなる場合に選択される大当り用の変動パターンテーブルについて説明する。図６に示すように、大当りとなる場合に選択される変動パターンテーブルは、大当り用の変動パターンテーブルＡ〜Ｄの４種類のテーブルで構成されている。
【０１０２】
大当り用の変動パターンテーブルＡは、ノーマルリーチ（Ｎリーチ）、又はスペシャルリーチ（ＳＰリーチ）１〜３の変動パターンの何れかが選択されるテーブルであり、大当り終了後１００回の特図変動表示ゲームのうち、第１予告回数、及び、第１所定回数で選択されるテーブルである。
なお、第１所定回数で選択されるテーブルは、図６の最下段に示すように、必ずノーマルリーチ（Ｎリーチ）の変動パターンが選択されるテーブルであっても良い。
【０１０３】
大当り用の変動パターンテーブルＢは、スペシャルリーチ（ＳＰリーチ）１〜３の変動パターンの何れかが選択されるテーブルであり、大当り終了後１００回の特図変動表示ゲームのうち、第２予告回数、及び、第２所定回数で選択されるテーブルである。
【０１０４】
大当り用の変動パターンテーブルＣは、必ずスペシャルリーチ（ＳＰリーチ）３の変動パターンが選択されるテーブルであり、大当り終了後１００回の特図変動表示ゲームのうち、第３予告回数、第３所定回数、及び、当該時短動作状態の最後の４回で選択されるテーブルである。
【０１０５】
大当り用の変動パターンテーブルＤは、ノーマルリーチ（Ｎリーチ）、又はスペシャルリーチ（ＳＰリーチ）１〜３の変動パターンの何れかが選択されるテーブルであり、上記大当り用の変動パターンテーブルＡ〜Ｃが選択されるとき以外のタイミングで選択されるテーブルである。
【０１０６】
次に、各予告回数（切替回数）及び当該各予告回数に行われる予告演出に関連した演出を行う所定回数（次の切替回数）の関係について、図７を用いて説明する。
図７に示すように、予告回数には、第１予告回数〜第３予告回数があり、当該各予告回数に対応付けて第１所定回数〜第３所定回数が設定されている。具体的には、予告回数、及び所定回数は、例えば１５回の間隔毎に設定されており、第１予告回数は大当り終了後の１５回目、第１所定回数は３０回目、第２予告回数は４５回目、第２所定回数は６０回目、そして、第３予告回数は７５目、第３所定回数は９０回目に設定されている。
【０１０７】
次に、各予告回数及び各所定回数の変動パターンにおける演出内容について、図７を用いて説明する。
図７に示すように、第１予告回数（１５回）の特図変動表示ゲームの結果がはずれの場合、第１回目の予告演出を行う。具体的には、図８に示すように、はずれ用の変動パターンテーブルＢが選択され、このとき当該第１予告回数と対応付けられた第１所定回数（３０回）の特図変動表示ゲームにてリーチが発生したら大当りとなることを示唆する予告演出（例えば、「１５回転後にリーチがくれば！？」の表示）を行う。
また、第１予告回数（１５回）の特図変動表示ゲームの結果が大当りの場合は、予告演出を行わないようになっている。具体的には、図８に示すように、大当り用の変動パターンテーブルＡが選択され、ノーマルリーチ、ＳＰ１〜３リーチの何れかのリーチが発生した後、大当りが導出されることとなる。
なお、図８に示す「表示回数」は大当り終了後に実行される特図変動表示ゲームの回数を表示装置４１にカウントダウン表示させたときの値である。つまり、かかる第１予告回数の特図変動表示ゲームでは、表示装置４１に残り８５回の表示がなされることとなる。
【０１０８】
そして、第１所定回数（３０回）の特図変動表示ゲームの結果が大当りの場合、第１予告回数における予告どおり、リーチ（ノーマルリーチ、ＳＰ１〜３リーチ）を発生させる大当り用の変動パターンテーブルＡが選択されることとなる。
また、第１所定回数（３０回）の特図変動表示ゲームの結果がはずれの場合は、リーチを発生させないはずれ用の変動パターンテーブルＢが選択されることとなる。
【０１０９】
また、第２予告回数（４５回）の特図変動表示ゲームの結果がはずれの場合、第２回目の予告演出を行う。具体的には、図８に示すように、はずれ用の変動パターンテーブルＢが選択され、このとき当該第２予告回数と対応付けられた第２所定回数（６０回）の特図変動表示ゲームにてＳＰリーチが発生したら大当りとなることを示唆する予告演出（例えば、「１５回転後にＳＰリーチがくれば！？」の表示）を行う。
また、第２予告回数（４５回）の特図変動表示ゲームの結果が大当りの場合は、予告演出を行わないようになっている。具体的には、図８に示すように、大当り用の変動パターンテーブルＢが選択され、ＳＰ１〜３リーチの何れかのリーチが発生した後、大当りが導出されることとなる。
【０１１０】
そして、第２所定回数（６０回）の特図変動表示ゲームの結果が大当りの場合、第２予告回数における予告どおり、ＳＰリーチ（ＳＰ１〜３リーチ）を発生させる大当り用の変動パターンテーブルＢが選択されることとなる。
また、第２所定回数（６０回）の特図変動表示ゲームの結果がはずれの場合は、ＳＰリーチは発生させないがノーマルリーチを発生させるはずれ用の変動パターンテーブルＣが選択されることとなる。
【０１１１】
また、第３予告回数（７５回）の特図変動表示ゲームの結果がはずれの場合、第３回目の予告演出を行う。具体的には、図８に示すように、はずれ用の変動パターンテーブルＢが選択され、このとき当該第３予告回数と対応付けられた第３所定回数（９０回）の特図変動表示ゲームにてプレミアムリーチであるＳＰ３リーチ（変動時間；１２０ｓ）が発生したら大当りとなることを示唆する予告演出（例えば、「１５回転後にプレミアムリーチがくれば！？」の表示）を行う。
また、第３予告回数（７５回）の特図変動表示ゲームの結果が大当りの場合は、予告演出を行わないようになっている。具体的には、図８に示すように、大当り用の変動パターンテーブルＣが選択され、ＳＰ３リーチ（変動時間；１２０ｓ（プレミアムリーチ））が発生した後、大当りが導出されることとなる。
【０１１２】
そして、第３所定回数（９０回）の特図変動表示ゲームの結果が大当りの場合、第３予告回数における予告どおり、ＳＰ３リーチ（変動時間；１２０ｓ（プレミアムリーチ））を発生させる大当り用の変動パターンテーブルＣが選択されることとなる。
また、第３所定回数（９０回）の特図変動表示ゲームの結果がはずれの場合は、プレミアムリーチは発生させないがプレミアムリーチに比べて変動時間の短いＳＰ３リーチ（変動時間；８０ｓ）を含むＳＰ１〜３リーチの何れかを発生させるはずれ用の変動パターンテーブルＤが選択されることとなる。
【０１１３】
また、図８に示すように、大当り終了後９１〜９６回目の特図変動表示ゲームの結果がはずれの場合、はずれ用の変動パターンテーブルＡが選択され、このとき、最後の４回（大当り終了後９６〜１００回）の特図変動表示ゲームにてＳＰリーチが発生したら大当りとなることを示唆する予告演出（例えば、「最後の４回転でＳＰリーチがくれば・・」の表示）を行う。
【０１１４】
そして、最後の４回の特図変動表示ゲームの何れかの結果が大当りの場合、上記予告どおり、ＳＰ３リーチ（変動時間；１２０ｓ（プレミアムリーチ））を発生させる大当り用の変動パターンテーブルＣが選択されることとなる。
また、最後の４回の特図変動表示ゲームの何れかの結果がはずれの場合は、上記予告どおり、ＳＰ１〜３リーチの何れかを発生させるはずれ用の変動パターンテーブルＤが選択され、当該ＳＰ１〜３リーチの何れかが発生した段階では遊技者に期待感を持たせるが、結果的にはずれとなるようになっている。これにより、大当り終了後１００回転目まで遊技者を飽きさせることなく期待感を持って遊技を行わせることができるようになる。
【０１１５】
なお、各予告回数の特図変動表示ゲームにて大当りが発生する場合は、対応する所定回数での大当り用の変動パターンテーブルに切り替え、当該大当りが発生する回の数回転前の特図変動表示ゲームにて先読み演出を行うようにしても良い。
具体的には、第１予告回数である１５回転目の特図変動表示ゲームの結果が大当りの場合は、当該ゲームにて大当り用の変動パターンテーブルＡを選択し、例えば、３回転前である１２回転目の特図変動表示ゲームにてリーチが発生したら大当りとなることを示唆する先読み予告演出（例えば、「あと３回転でリーチがくれば・・」の表示）を行う。
【０１１６】
また、先読み予告の結果、各予告回数の次の回のゲーム結果が大当りの場合には、当該各予告回数での予告演出を行わないようにしても良い。
また、各予告回数で予告演出を行う際、先読み予告の結果、保留記憶内に大当りを発生させる保留記憶がある場合は、当初次の所定回数に対して行う予定であった予告演出表示（例えば、「１５回転後に…」）を当該保留記憶に対する予告演出表示（あと○回転で…）に切り替えるようにしても良い。
【０１１７】
次に、大当り終了後１００回転目までの特図変動表示ゲームにて選択される変動パターンテーブルのテーブル情報について、図８を用いて説明する。
本実施形態の遊技機１０では、大当り終了後１００回転目までの特図変動表示ゲームにて、図８のようなテーブル情報を設定し、変動パターンテーブルを選択するようになっている。
具体的には、大当り終了後１００回転目までの特図変動表示ゲームでは、原則として大当りが発生する場合には、大当り用の変動パターンテーブルＤが選択され、はずれが発生する場合は、はずれ用の変動パターンテーブルＡが選択されるようになっている。
また、本実施形態の遊技機１０は、大当り終了後に１００の値を所定のカウンタにセットし、当該大当り終了後特図変動表示ゲームが開始される度に当該カウンタを−１更新する。そして、当該カウンタの値がテーブルを変更する回数（変更対象回数（切替回数）（各予告回数、各所定回数））となった場合に、当該テーブル情報を参照して変動パターンテーブルを変更するようにしている。
【０１１８】
次に、上記遊技制御装置１００の遊技用マイクロコンピュータ（遊技用マイコン）１１１によって実行される制御について説明する。
遊技用マイコン１１１による制御処理は、ループ処理として繰り返されるメインルーチンであるメイン処理（主に図９及び図１０参照）と、メイン処理に対する割り込みルーチンとして、所定時間周期（例えば４ｍｓ）で行われるタイマ割込み処理（図１１参照）とからなる。
【０１１９】
〔メイン処理〕
先ず、メイン処理について説明する。
メイン処理は、遊技機１０の電源が投入されることで開始される。このメイン処理においては、図９に示すように、まず、割込みを禁止する処理（ステップＳ１）を行ってから、割込みが発生したときに実行するジャンプ先のベクタアドレスを設定する割込みベクタ設定処理（ステップＳ２）、割込みが発生したときにレジスタ等の値を退避する領域の先頭アドレスであるスタックポインタを設定するスタックポインタ設定処理（ステップＳ３）、割込み処理のモードを設定する割込みモード設定処理（ステップＳ４）を行う。
【０１２０】
次に、払出制御装置（払出基板）２００のプログラムが正常に起動するのを待つため例えば４ｍｓの時間待ちを行う（ステップＳ５）。これにより、電源投入の際に仮に遊技制御装置１００が先に立ち上がって払出制御装置２００が立ち上がる前にコマンドを払出制御装置２００へ送ってしまい、払出制御装置２００がコマンドを取りこぼすのを回避することができる。その後、ＲＡＭやＥＥＰＲＯＭ等の読出し書込み可能なＲＷＭ（リードライトメモリ）のアクセス許可をし、全出力ポートに出力が無い状態にするＯＦＦデータを出力する（ステップＳ６，Ｓ７）。また、シリアルポート（遊技用マイコン１１１に予め搭載されているポートで、この実施例では、払出制御装置２００や演出制御装置３００とパラレル通信を行っているため使用しない）を使用しない状態に設定する処理を行う（ステップＳ８）。
【０１２１】
続いて、電源装置４００内の初期化スイッチがＯＮしているか否か判定する（ステップＳ９）。ここで、初期化スイッチがＯＦＦ（ステップＳ９；Ｎｏ）と判定すると、ステップＳ１０で、ＲＷＭ内に複数設けられている停電検査領域のうち、停電検査領域１のデータの値をチェックし（ステップＳ１０）、停電検査領域１の値が正常な停電検査領域チェックデータ１であるか否かの判定を行う（ステップＳ１１）。このステップＳ１１で停電検査領域１の値が正常な停電検査領域チェックデータ１であると判定した場合（ステップＳ１１；Ｙｅｓ）には、停電検査領域２のデータの値をチェックし（ステップＳ１２）、停電検査領域２の値が正常な停電検査領域チェックデータ２であるか否かの判定を行う（ステップＳ１３）。このステップＳ１３で停電検査領域２の値が正常な停電検査領域チェックデータ２であると判定した場合（ステップＳ１３；Ｙｅｓ）には、チェックサムと呼ばれるデータを算出する処理（ステップＳ１４）を行い、算出したチェックサムと電源遮断時のチェックサムとを比較して（ステップＳ１５）、値が一致するか否かを判定する（ステップＳ１６）。
【０１２２】
また、ステップＳ９で初期化スイッチがＯＮと判定した場合（ステップＳ９；Ｙｅｓ）、ステップＳ１１で停電検査領域１の値が正常でないと判定した場合（ステップＳ１１；Ｎｏ）、ステップＳ１３で停電検査領域２の値が正常でないと判定した場合（ステップＳ１３；Ｎｏ）、或いは、ステップＳ１６でチェックサムが一致しないと判定した場合（ステップＳ１６；Ｎｏ）には、図１０のステップＳ２４へジャンプする。
【０１２３】
また、ステップＳ１６でチェックサムが一致すると判定した場合（ステップＳ１６；Ｙｅｓ）には、図１０のステップＳ１７へ移行して、全ての停電検査領域をクリアする処理（ステップＳ１７）、チェックサム領域をクリアする処理（ステップＳ１８）を行ってから、エラーや不正監視に係る領域をリセットする（ステップＳ１９）。次に、ＲＷＭ内の遊技状態を記憶する領域を調べて遊技状態が高確率状態であるか否かを判定する（ステップＳ２０）。ここで、高確率でない（ステップＳ２０；Ｎｏ）と判定した場合は、ステップＳ２１，Ｓ２２をスキップしてステップＳ２３へ移行する。
【０１２４】
また、ステップＳ２０で高確率であると判定した場合（ステップＳ２０；Ｙｅｓ）には、高確率の報知フラグ領域にＯＮ情報をセーブしてから（ステップＳ２１）、例えば一括表示装置５０に設けられる高確率報知ＬＥＤ（エラー表示器）をオン（点灯）させるＯＮデータをセグメントに対応する領域（ポート１３６）に設定して（ステップＳ２２）、ステップＳ２３へ移行する。ステップＳ２３では、特図ゲーム処理番号に対応する停電復旧時のコマンドを送信してステップＳ２９へ進む。
【０１２５】
一方、ステップＳ９，Ｓ１１，Ｓ１３，Ｓ１６からステップＳ２４へジャンプした場合には、先ずＣＰＵ１１１Ａが使用するＲＡＭ内の、アクセス禁止領域より前の全作業領域をクリアする処理（ステップＳ２４）、アクセス禁止領域より後の全スタック領域をクリアする処理（ステップＳ２５）を行ってから、初期化すべき領域に電源投入時の初期値をセーブする（ステップＳ２６）。それから、ＲＷＭをクリアしたことに関する外部情報を出力する期間の時間値を設定し（ステップＳ２７）、電源投入時のコマンドを演出制御装置３００へ送信する処理（ステップＳ２８）を行って、ステップＳ２９へ進む。
【０１２６】
ステップＳ２９では、遊技用マイコン１１１（クロックジェネレータ）内のタイマ割込み信号及び乱数更新トリガ信号（ＣＴＣ）を発生するＣＴＣ（Counter/Timer Circuit）回路を起動する処理を行う。
なお、ＣＴＣ回路は、遊技用マイコン１１１内のクロックジェネレータに設けられている。クロックジェネレータは、水晶発振器１１３からの発振信号（原クロック信号）を分周する分周回路と、分周された信号に基づいてＣＰＵ１１１Ａに対して所定周期（例えば、４ｍｓ）のタイマ割込み信号及び乱数生成回路へ供給する乱数更新のトリガを与える信号ＣＴＣを発生するＣＴＣ回路とを備えている。
【０１２７】
上記ステップＳ２９のＣＴＣ起動処理の後は、乱数生成回路を起動設定する処理を行う（ステップＳ３０）。具体的には、乱数生成回路内の所定のレジスタ（ＣＴＣ更新許可レジスタ）へ乱数生成回路を起動させるためのコード（指定値）の設定などがＣＰＵ１１１Ａによって行われる。それから、電源投入時の乱数生成回路内の所定のレジスタ（ソフト乱数レジスタ１〜ｎ）の値を、対応する各種初期値乱数（大当り図柄を決定する乱数（大当り図柄乱数１、大当り図柄乱数２）、普図の当りを決定する乱数（当り乱数））の初期値（スタート値）としてＲＷＭの所定領域にセーブしてから（ステップＳ３１）、割込みを許可する（ステップＳ３２）。本実施例で使用するＣＰＵ１１１Ａ内の乱数生成回路においては、電源投入毎にソフト乱数レジスタの初期値が変わるように構成されているため、この値をＣＰＵ側で生成する各種初期値乱数の初期値（スタート値）とすることで、ソフトウェアで生成される乱数の規則性を崩すことができ、遊技者による不正な乱数の取得を困難にすることができる。
【０１２８】
続いて、各種初期値乱数の値を更新して乱数の規則性を崩すための初期値乱数更新処理（ステップＳ３３）を行う。なお、本実施形態においては、特に限定されるわけではないが、大当り乱数は乱数生成回路において生成される乱数（大当り乱数）を使用して生成するように構成されている。つまり、大当り乱数はハードウェアで生成されるハード乱数であり、大当り図柄乱数、当り乱数はソフトウェアで生成されるソフト乱数である。
【０１２９】
上記ステップＳ３３の初期値乱数更新処理の後、停電監視信号をチェックする回数を設定する（ステップＳ３４）。そして、電源装置４００から入力されている停電監視信号をポート及びデータバスを介して読み込んでチェックし、停電監視信号がＯＮであるか否かを判定する（ステップＳ３５）。ステップＳ３５で、停電監視信号がＯＮでないと判定した場合（ステップＳ３５；Ｎｏ）には、ステップＳ３３に戻り、上記初期値乱数更新処理と停電監視信号のチェック（ループ処理）を繰り返し行う。初期値乱数更新処理（ステップＳ３３）の前に割り込みを許可する（ステップＳ３２）ことによって、初期値乱数更新処理中にタイマ割込みが発生すると割込み処理が優先して実行されるようになり、タイマ割込みが初期値乱数更新処理によって待たされることで割込み処理が圧迫されるのを回避することができる。
【０１３０】
なお、上記ステップＳ２７での初期値乱数更新処理は、メイン処理のほか、タイマ割込み処理の中においても初期値乱数更新処理を行う方法もあり、そのような方法を採用した場合には両方で初期値乱数更新処理が実行されるのを回避するため、メイン処理で初期値乱数更新処理を行う場合には割込みを禁止してから更新して割込みを解除する必要があるが、本実施例のようにタイマ割込み処理の中での初期値乱数更新処理はせず、メイン処理内のみにした場合には初期値乱数更新処理の前に割込みを解除しても何ら問題はなく、それによってメイン処理が簡素化されるという利点がある。
【０１３１】
上記ステップＳ３５において、停電監視信号がＯＮであると判定した場合（ステップＳ３５；Ｙｅｓ）には、設定したチェック回数の分だけＯＮが継続されたか否かを判定する（ステップＳ３６）。そして、継続されなかったと判定した場合（ステップＳ３６；Ｎｏ）には、ステップＳ３５に戻り、停電が発生したか否かの判定（ループ処理）を繰り返し行う。また、ステップＳ３６において、継続されたと判定した場合（ステップＳ３６；Ｙｅｓ）、すなわち、停電が発生していると判定した場合には、一旦割込みを禁止する処理（ステップＳ３７）、全出力ポートにＯＦＦデータを出力する処理（ステップＳ３８）を行う。その後さらに、停電復旧検査領域１に停電復旧検査領域チェックデータ１をセーブする処理（ステップＳ３９）、停電復旧検査領域２に停電復旧検査領域チェックデータ２をセーブする処理（ステップＳ４０）、ＲＷＭの電源遮断時のチェックサムを算出する処理（ステップＳ４１）を行った後、算出したチェックサムをチェックサム領域にセーブして（ステップＳ４２）、ＲＷＭへのアクセスを禁止する処理（ステップＳ４３）を行ってから、遊技機の電源が遮断されるのを待つ。このように、停電復旧検査領域にチェックデータをセーブするとともに、電源遮断時のチェックサムを算出することで、停電等に伴う遊技機１０の電源遮断の前にＲＷＭに記憶されていた情報が正しくバックアップされているか否かを、遊技機１０の電源再投入時に判断することができる。
【０１３２】
〔タイマ割込み処理〕
次に、タイマ割込み処理について説明する。
図１１に示すように、タイマ割込み処理は、クロックジェネレータ内のＣＴＣ回路で生成される周期的なタイマ割込み信号がＣＰＵ１１１Ａに入力されることで開始される。遊技用マイコン１１１においてタイマ割込みが発生すると、図１１のタイマ割込み処理が開始される。
【０１３３】
タイマ割込み処理が開始されると、遊技制御装置１００の遊技用マイコン１１１は、まず所定のレジスタに保持されている値をＲＷＭに移すレジスタ退避の処理（ステップＳ５１）を行う。なお、本実施形態において遊技用マイコンとして使用しているＺ８０系のマイコンでは、当該処理を表レジスタに保持されている値を裏レジスタに退避することで置き換えることができる。次に、各種センサ（始動口１スイッチ３６ａ、始動口２スイッチ３７ａ、普図のゲートスイッチ３４ａ、カウントスイッチ３８ａなど）からの入力の取込み、即ち、各入力ポートの状態を読み込む入力処理（ステップＳ５２）を行う。それから、各種処理でセットされた出力データに基づき、ソレノイド（大入賞口ＳＯＬ３８ｂ、普電ＳＯＬ３７ｃ）等のアクチュエータの駆動制御などを行うための出力処理（ステップＳ５３）を行う。
【０１３４】
次に、各種処理で送信バッファにセットされたコマンドを演出制御装置３００や払出制御装置２００等に出力するコマンド送信処理（ステップＳ５４）、乱数更新処理１（ステップＳ５５）、乱数更新処理２（ステップＳ５６）を行う。その後、始動口１スイッチ３６ａ、始動口２スイッチ３７ａ、普図のゲートスイッチ３４ａ、入賞口スイッチ３５ａ…３５ｎ、カウントスイッチ３８ａから正常な信号の入力があるか否かの監視や、エラーの監視（前面枠やガラス枠が開放されていないかなど）を行う入賞口スイッチ／エラー監視処理（ステップＳ５７）を行う。また、特図変動表示ゲームに関する処理を行う特図ゲーム処理（ステップＳ５８）、普図変動表示ゲームに関する処理を行う普図ゲーム処理（ステップＳ５９）を行う。
【０１３５】
次に、遊技機１０に設けられ、特図変動表示ゲームの表示や遊技に関する各種情報を表示するセグメントＬＥＤを所望の内容を表示するように駆動するセグメントＬＥＤ編集処理（ステップＳ６０）、磁気センサスイッチ６１や振動センサスイッチ６２からの検出信号をチェックして異常がないか判定する磁石不正監視処理（ステップＳ６１）を行う。それから、外部の各種装置に出力する信号を出力バッファにセットする外部情報編集処理（ステップＳ６２）を行う。続いて、割込み要求をクリアして割込みの終了を宣言する処理（ステップＳ６３）を行い、ステップＳ４１で退避したレジスタのデータを復帰する処理（ステップＳ６４）を行った後、割込みを許可する処理（ステップＳ６５）を行って、タイマ割込み処理を終了する。
【０１３６】
〔特図ゲーム処理〕
次に、遊技制御装置１００によるタイマ割込み処理中に実行される特図ゲーム処理の詳細について説明する。
当該特図ゲーム処理では、始動口１スイッチ３６ａ及び始動口２スイッチ３７ａの入力の監視と、特図変動表示ゲームに関する処理全体の制御、特図の表示の設定を行う。
【０１３７】
図１２に示すように、特図ゲーム処理において、遊技制御装置１００の遊技用マイコン１１１は、先ず、始動口１スイッチ３６ａ及び始動口２スイッチ３７ａの入賞を監視する始動口スイッチ監視処理（ステップＡ１）を行う。
始動口スイッチ監視処理では、始動入賞口３６、第２始動入賞口をなす普通変動入賞装置３７に遊技球の入賞があると、各種乱数（大当り乱数など）の抽出を行い、当該入賞に基づく特図変動表示ゲームの開始前の段階で入賞に基づく遊技結果を事前に判定する遊技結果事前判定を行う。
【０１３８】
次に、カウントスイッチ監視処理（ステップＡ２）を行う。このカウントスイッチ監視処理では、特別変動入賞装置３８内に設けられたカウントスイッチ３８ａのカウント数を監視する処理を行う。
【０１３９】
次に、特図ゲーム処理タイマが、既にタイプアップしたか否か、又は当該特図ゲーム処理タイマを更新（−１）した後にタイムアップしたか否かをチェックして（ステップＡ３）、特図ゲーム処理タイマがタイムアップしたと判定した場合（ステップＡ４；Ｙｅｓ）には、特図ゲーム処理番号に対応する処理に分岐させるために参照する特図ゲームシーケンス分岐テーブルをレジスタに設定する処理（ステップＡ５）を行って、当該テーブルを用いて特図ゲーム処理番号に対応する処理の分岐先アドレスを取得する処理（ステップＡ６）を行う。
そして、分岐処理終了後のリターンアドレスをスタック領域に退避させる処理（ステップＡ７）を行った後、特図ゲーム処理番号に応じてゲーム分岐処理（ステップＡ８）を行う。
【０１４０】
ステップＡ８にて、特図ゲーム処理番号が「０」の場合は、特図変動表示ゲームの変動開始を監視し、特図変動表示ゲームの変動開始の設定や演出の設定や、特図変動中処理を行うために必要な情報の設定等を行う特図普段処理（ステップＡ９）を行う。
【０１４１】
また、ステップＡ８にて、特図ゲーム処理番号が「１」の場合は、特図の停止表示時間の設定や、特図表示中処理を行うために必要な情報の設定等を行う特図変動中処理（ステップＡ１０）を行う。
【０１４２】
また、ステップＡ８にて、特図ゲーム処理番号が「２」の場合は、特図変動表示ゲームの遊技結果が大当りであれば、大当りの種類（２Ｒ大当りｏｒ１５Ｒ大当り）に応じたファンファーレコマンドの設定や、各大当り（２Ｒ大当りｏｒ１５Ｒ大当り）の大入賞口開放パターンに応じたファンファーレ時間の設定や、ファンファーレ／インターバル中処理を行うために必要な情報の設定等を行う特図表示中処理（ステップＡ１１）を行う。
【０１４３】
また、ステップＡ８にて、特図ゲーム処理番号が「３」の場合は、大入賞口の開放時間の設定や開放回数の更新、大入賞口開放中処理を行うために必要な情報の設定等を行うファンファーレ／インターバル中処理（ステップＡ１２）を行う。
【０１４４】
また、ステップＡ８にて、特図ゲーム処理番号が「４」の場合は、大当りラウンドが最終ラウンドでなければインターバルコマンドを設定する一方で最終ラウンドであれば大当り終了画面のコマンドを設定する処理や、大入賞口残存球処理を行うために必要な情報の設定等を行う大入賞口開放中処理（ステップＡ１３）を行う。
【０１４５】
また、ステップＡ８にて、特図ゲーム処理番号が「５」の場合は、大当りラウンドが最終ラウンドであれば大入賞口内にある残存球が排出されるための時間を設定する処理や、大当り終了処理を行うために必要な情報の設定等を行う大入賞口残存球処理（ステップＡ１４）を行う。
【０１４６】
また、ステップＡ８にて、特図ゲーム処理番号が「６」の場合は、特図普段処理（ステップＡ９）を行うために必要な情報の設定等を行う大当り終了処理（ステップＡ１５）を行う。
【０１４７】
また、ステップＡ８にて、特図ゲーム処理番号が「７」の場合は、小当りが発生した際の大入賞口の開放時間・開放パターンの設定、小当り中処理を行うために必要な情報の設定等を行う小当りファンファーレ中処理（ステップＡ１６）を行う。
【０１４８】
また、ステップＡ８にて、特図ゲーム処理番号が「８」の場合は、小当り残存球処理を行うために必要な情報の設定等を行う小当り中処理（ステップＡ１７）を行う。
【０１４９】
また、ステップＡ８にて、特図ゲーム処理番号が「９」の場合は、小当り中処理の際に大入賞口内に入賞した残存球が排出されるための時間を設定する処理や、小当り終了処理を行うために必要な情報の設定等を行う小当り残存球処理（ステップＡ１８）を行う。
【０１５０】
また、ステップＡ８にて、特図ゲーム処理番号が「１０」の場合は、特図普段処理（ステップＡ９）を行うために必要な情報の設定等を行う小当り終了処理（ステップＡ１９）を行う。
【０１５１】
その後、特図１表示器５０の変動を制御するためのテーブルを準備した後（ステップＡ２０）、特図１表示器５０に係る図柄変動制御処理（ステップＡ２１）を行う。その後、特図２表示器５０の変動を制御するためのテーブルを準備した後（ステップＡ２２）、特図２表示器５０に係る図柄変動制御処理（ステップＡ２３）を行い、当該特図ゲーム処理を終了する。
【０１５２】
一方、ステップＡ４にて、特図ゲーム処理タイマがタイムアップしていないと判定した場合（ステップＡ４；Ｎｏ）には、処理をステップＡ２０に移行して、それ以降の処理を行う。
ここで、遊技制御装置１００は、判定手段（遊技制御装置１００）による判定結果に基づき特図変動表示ゲームを実行する変動表示ゲーム実行制御手段として機能する。
【０１５３】
〔始動口スイッチ監視処理〕
次に、上述の特図ゲーム処理における始動口スイッチ監視処理の詳細について説明する。
図１３に示すように、始動口スイッチ監視処理において、遊技制御装置１００の遊技用マイコン１１１は、先ず、始動入賞口３６（始動口１）による始動口入賞演出コマンドを設定するテーブルを準備して、始動口１による保留の情報を設定するテーブルを準備した後（ステップＡ１１１）、特図始動口スイッチ共通処理（ステップＡ１１２）を行う。
なお、ステップＡ１１２における特図始動口スイッチ共通処理の詳細については、ステップＡ１１７における特図始動口スイッチ共通処理とともに後述する。
【０１５４】
次に、普通電動役物（普通変動入賞装置３７）が作動中である、即ち、普通変動入賞装置３７が作動して遊技球の入賞が可能な開状態となっているか否かをチェックして（ステップＡ１１３）、普通電動役物が作動中である（ステップＡ１１３；Ｙｅｓ）と判定すると、処理をステップＡ１１６に移行して、それ以降の処理を行う。一方、ステップＡ１１３にて、普通電動役物が作動中でない（ステップＡ１１３；Ｎｏ）と判定すると、普通変動入賞装置３７への不正入賞数が不正発生判定個数以上であるかをチェックして（ステップＡ１１４）、不正入賞数が不正発生判定個数以上であるか否かを判定する処理（ステップＡ１１５）を行う。
普通変動入賞装置３７は、閉状態では遊技球が入賞不可能であり、開状態でのみ遊技球が入賞可能である。よって、閉状態で遊技球が入賞した場合は何らかの異常や不正が発生した場合であり、このような閉状態で入賞した遊技球があった場合はその数を不正入賞数として計数する。そして、このように計数された不正入賞数が所定の不正発生判定個数（上限値）以上であるかが判定される。
【０１５５】
ステップＡ１１５にて、不正入賞数が不正判定個数以上でない（ステップＡ１１５；Ｎｏ）と判定すると、普通変動入賞装置３７（始動口２）による始動口入賞演出コマンドを設定するテーブルを準備して、始動口２による保留の情報を設定するテーブルを準備した後（ステップＡ１１６）、特図始動口スイッチ共通処理（ステップＡ１１７）を行って、始動口スイッチ監視処理を終了する。
また、ステップＡ１１５にて、不正入賞数が不正判定個数以上であると判定された場合も（ステップＡ１１５；Ｙｅｓ）、始動口スイッチ監視処理を終了する。即ち、第２始動記憶をそれ以上発生させないようにする。
【０１５６】
〔特図始動口スイッチ（ＳＷ）共通処理〕
次に、前述の始動口スイッチ監視処理における特図始動口スイッチ共通処理（ステップＡ１１２、Ａ１１７）の詳細について説明する。
当該特図始動口スイッチ共通処理は、始動口１スイッチ３６ａや始動口２スイッチ３７ａの入力があった場合に、各々の入力について共通して行われる処理である。
【０１５７】
図１４に示すように、特図始動口スイッチ共通処理において、遊技制御装置１００の遊技用マイコン１１１は、先ず、始動口１スイッチ３６ａ及び始動口２スイッチ３７ａのうち、監視対象の始動口スイッチ（例えば、始動口１スイッチ３６ａ等）に入力があるか否かをチェックして（ステップＡ２０１）、監視対象の始動口スイッチに入力がない（ステップＡ２０２；Ｎｏ）と判定すると、特図始動口スイッチ共通処理を終了する。一方、ステップＡ２０２にて、監視対象の始動口スイッチに入力がある（ステップＡ２０２；Ｙｅｓ）と判定すると、当該監視対象の始動口スイッチの始動口入賞フラグをセーブした後（ステップＡ２０３）、監視対象のハード乱数ラッチレジスタに抽出された大当り乱数をロードし、準備する（ステップＡ２０４）。
【０１５８】
続けて、始動口１スイッチ３６ａ及び始動口２スイッチ３７ａのうち、監視対象の始動口スイッチ（例えば、始動口１スイッチ３６ａ等）への入賞の回数に関する情報が遊技機１０の外部の管理装置に対して出力された回数（始動口信号制御出力回数）をロードして、当該ロードした値を更新（＋１）し、出力回数がオーバーフローするか否かをチェックして（ステップＡ２０５）、出力回数がオーバーフローしない（ステップＡ２０６；Ｎｏ）と判定すると、更新後の値をＲＷＭの始動口信号出力回数領域にセーブして（ステップＡ２０７）、処理をステップＡ２０８に移行する。一方、ステップＡ２０６にて、出力回数がオーバーフローしたと判定された場合は（ステップＡ２０６；Ｙｅｓ）、処理をステップＡ２０８に移行する。
【０１５９】
そして、ステップＡ２０８にて、始動口１スイッチ３６ａ及び始動口２スイッチ３７ａのうち、監視対象の始動口スイッチ（例えば、始動口１スイッチ３６ａ等）に対応する更新対象の特図保留（始動記憶）数が上限値未満か否かをチェックして（ステップＡ２０８）、特図保留数が上限値未満か否かを判定する処理（ステップＡ２０９）を行う。
【０１６０】
ステップＡ２０９にて、特図保留数が上限値未満である（ステップＡ２０９；Ｙｅｓ）と判定すると、更新対象の特図保留数（例えば、特図１保留数等）を更新（＋１）する処理（ステップＡ２１０）を行う。
続けて、始動口１スイッチ３６ａ及び始動口２スイッチ３７ａのうち、監視対象の始動口スイッチ（例えば、始動口１スイッチ３６ａ等）の飾り特図保留数コマンド（MODE）を準備した後（ステップＡ２１１）、特図保留数に対応する飾り特図保留数コマンド（ACTION）を準備して（ステップＡ２１２）、コマンド設定処理（ステップＡ２１３）を行う。
【０１６１】
続けて、特図保留数に対応する乱数セーブ領域のアドレスを算出する処理（ステップＡ２１４）を行った後、大当り乱数をＲＷＭの大当り乱数セーブ領域にセーブする（ステップＡ２１５）。そして、監視対象の始動口スイッチの大当り図柄乱数を抽出し、準備して（ステップＡ２１６）、大当り図柄乱数をＲＷＭの大当り図柄乱数セーブ領域にセーブする（ステップＡ２１７）。次に、対応する変動パターン乱数１を抽出し、ＲＷＭの変動パターン乱数１セーブ領域にセーブし（ステップＡ２１８）、次に、対応する変動パターン乱数２を抽出し、ＲＷＭの変動パターン乱数２セーブ領域にセーブし（ステップＡ２１９）、次に、対応する変動パターン乱数３を抽出し、ＲＷＭの変動パターン乱数３セーブ領域にセーブする（ステップＡ２２０）。そして、特図保留情報判定処理（ステップＡ２２１）を行って、特図始動口スイッチ共通処理を終了する。なお、特図保留情報判定処理の詳細については後述する。
【０１６２】
一方、ステップＡ２０９にて、特図保留数が上限値未満でない（ステップＡ２０９；Ｎｏ）と判定すると、ステップＡ２０２に係る始動口スイッチの入力が始動口１スイッチ３６ａの入力であるか否かをチェックして（ステップＡ２２２）、始動口１スイッチ３６ａの入力である（ステップＡ２２３；Ｙｅｓ）と判定すると、飾り特図保留数コマンド（オーバーフローコマンド）を準備し（ステップＡ２２４）、コマンド設定処理（ステップＡ２２５）を行って、特図始動口スイッチ共通処理を終了する。
一方、ステップＡ２２３にて、始動口１スイッチ３６ａの入力でないと判定された場合にも（ステップＡ２２３；Ｎｏ）、特図始動口スイッチ共通処理を終了する。
【０１６３】
〔特図保留情報判定処理〕
次に、前述の特図始動口スイッチ共通処理における特図保留情報判定処理（ステップＡ２２１）の詳細について説明する。
当該特図保留情報判定処理は、対応する始動記憶に基づく特図変動表示ゲームの開始タイミングより前に当該始動記憶に対応した結果関連情報の判定を行う先読み処理である。
【０１６４】
図１５に示すように、特図保留情報判定処理において、遊技制御装置１００の遊技用マイコン１１１は、まず、先読み演出を実行してよい条件を満たしているかチェックする（ステップＡ２３１）。
ここで、「先読み演出を実行してよい条件」とは、特図始動口スイッチ共通処理のステップＡ２０２に係る始動口スイッチの入力が始動口２スイッチ３７ａの入力であること、又は当該始動口スイッチの入力が始動口１スイッチ３６ａの入力の場合には、普通変動入賞装置３７の開放延長機能が作動中でない、すなわち、普通変動入賞装置３７がサポート中（時短動作状態中）でなく、且つ、大当り中でないことを意味する。つまり、特図始動口スイッチ共通処理のステップＡ２０２に係る始動口スイッチの入力が始動口２スイッチ３７ａの場合は、普通変動入賞装置３７がサポート中、又は大当り中であるかにかかわらず、当該始動記憶に対応した結果関連情報の判定を行う先読み処理を行うこととなる。また、後述する変動回数更新処理（図２２参照）に示すように、時短変動回数が変動パターンテーブルを変更する変更対象回数となるときの保留記憶については先読み演出を実行してよい条件を満たしていないものとする。
【０１６５】
そして、ステップＡ２３２にて、先読み演出を実行してよい条件を満たしていない場合（ステップＡ２３２；Ｎｏ）は、特図保留情報判定処理を終了する。
一方、先読み演出を実行してよい条件を満たしている場合（ステップＡ２３２；Ｙｅｓ）は、大当り判定処理（ステップＡ２３３）を行う。
【０１６６】
そして、ステップＡ２３３における大当り判定処理の判定結果が大当りである場合（ステップＡ２３４；Ｙｅｓ）には、監視対象の始動口スイッチに対応する大当り図柄乱数チェックテーブルを設定し（ステップＡ２３５）、大当り図柄乱数をチェックし、対応する大当り情報ポインタを取得し、準備して（ステップＡ２３６）、ステップＡ２４１へ移行する。
一方、ステップＡ２３３における大当り判定処理の判定結果が大当りでない場合（ステップＡ２３４；Ｎｏ）には、小当り判定処理（ステップＡ２３７）を行い、判定結果が小当りの場合（ステップＡ２３８；Ｙｅｓ）は、監視対象の始動口スイッチに対応する小当り情報テーブルを設定し（ステップＡ２３９）、ステップＡ２４１へ移行する。また、判定結果が小当りでない場合（ステップＡ２３８；Ｎｏ）は、はずれ情報テーブルを設定し（ステップＡ２４０）、ステップＡ２４１へ移行する。
【０１６７】
続けて、ステップＡ２４１では、設定した情報テーブル（大当り情報テーブル、小当たり情報テーブル、又は、はずれ情報テーブル）から図柄情報を取得し、取得した図柄情報を図柄情報（作業用）領域にセーブする（ステップＡ２４１）。次に、設定した情報テーブルから始動口入賞演出図柄コマンドを取得し、取得した始動口入賞演出図柄コマンドを入賞演出図柄コマンド領域にセーブする（ステップＡ２４２）。
【０１６８】
続けて、監視対象の始動口スイッチの始動口入賞フラグを準備し（ステップＡ２４３）、監視対象の始動口入賞演出コマンド設定テーブルを準備し（ステップＡ２４４）、特図情報設定処理（ステップＡ２４５）、後半変動パターン設定処理（ステップＡ２４６）、変動パターン設定処理（ステップＡ２４７）を行う。
そして、前半変動番号に対応する始動口入賞演出コマンド（ＭＯＤＥ）を算出し、準備し（ステップＡ２４８）、後半変動番号の値を始動口入賞演出コマンド（ＡＣＴＩＯＮ）として、準備して（ステップＡ２４９）、コマンド設定処理（ステップＡ２５０）を行う。
続けて、始動口入賞演出図柄コマンドをロードし、準備して（ステップＡ２５１）、コマンド設定処理（ステップＡ２５２）を行い、特図保留情報判定処理を終了する。
ここで、遊技制御装置１００は、始動記憶手段（遊技制御装置１００）に記憶された各種乱数値を事前に判定する事前判定手段として機能する。
【０１６９】
〔特図普段処理〕
次に、上述の特図ゲーム処理における特図普段処理（ステップＡ９）の詳細について説明する。
図１６に示すように、特図普段処理では、先ず、特図２保留数（第２始動記憶数）が０であるか否かをチェックする（ステップＡ２７１）。
そして、特図２保留数が０である（ステップＡ２７２；Ｙｅｓ）と判定すると、特図１保留数（第１始動記憶数）が０であるか否かをチェックする（ステップＡ２７３）。
そして、特図１保留数が０である（ステップＡ２７４；Ｙｅｓ）と判定すると、既に客待ちデモが開始されているか否かをチェックして（ステップＡ２７５）、客待ちデモを開始していない、即ち、開始済みでない（ステップＡ２７６；Ｎｏ）と判定すると、客待ちデモフラグ領域に客待ちデモ中フラグをセーブする処理（ステップＡ２７７）を行う。
【０１７０】
続けて、客待ちデモコマンドを準備して（ステップＡ２７８）、コマンド設定処理（ステップＡ２７９）を行う。
一方、ステップＡ２７５にて、既に客待ちデモが開始されている（ステップＡ２７６；Ｙｅｓ）と判定すると、既に客待ちデモフラグは客待ちデモ中に設定（ステップＡ２７７）され、客待ちデモコマンドも準備（ステップＡ２７８）され、コマンド設定処理（ステップＡ２７９）も実行されているため、これらの処理を行わずにステップＡ２８０に移行する。そして、特図普段処理移行設定処理１（ステップＡ２８０）を行って、特図普段処理を終了する。
【０１７１】
一方、ステップＡ２７２にて、特図２保留数が０でない（ステップＡ２７２；Ｎｏ）と判定すると、特図２変動開始処理（ステップＡ２８１）を行う。なお、ステップＡ２８１における特図２変動開始処理の詳細については後述する。
その後、特図２の特図変動中処理移行設定処理（ステップＡ２８２）を行って、特図普段処理を終了する。
また、ステップＡ２７４にて、特図１保留数が０でない（ステップＡ２７４；Ｎｏ）と判定すると、特図１変動開始処理（ステップＡ２８３）を行う。なお、ステップＡ２８３における特図１変動開始処理の詳細については後述する。
その後、特図１の特図変動中処理移行設定処理（ステップＡ２８４）を行って、特図普段処理を終了する。
このように、ステップＡ２７１とステップＡ２７２における特図２保留数のチェックを、ステップＡ２７３とステップＡ２７４における特図１保留数のチェックよりも先に行うことで、特図２保留数が０でない場合には、特図２変動開始処理（ステップＡ２８１）が実行されることとなる。すなわち、第２特図変動表示ゲームが第１特図変動表示ゲームに優先して実行されることとなる。
【０１７２】
〔特図１変動開始処理〕
次に、上述の特図普段処理における特図１変動開始処理（ステップＡ２８３）の詳細について説明する。
特図１変動開始処理は、第１特図変動表示ゲームの開始時に行う処理であり、具体的には、図１７（ａ）に示すように、先ず、特図１変動表示ゲームが大当りであるか否かを判定するための大当りフラグ１にはずれ情報や大当り情報を設定する大当りフラグ１設定処理（ステップＡ３１１）を行う。そして、同様に、小当りフラグ１設定処理（ステップＡ３１２）を行う。
【０１７３】
次に、第１特図停止図柄（特図１停止図柄）の設定に係る特図１停止図柄設定処理（ステップＡ３１３）を行った後、第１特図停止図柄番号（特図１停止図柄番号）に対応する信号を試験信号の出力データ領域にセーブする（ステップＡ３１４）。
続いて、図柄情報領域から図柄情報をロードした後、当該図柄情報をＲＷＭの作業用の図柄情報領域にセーブする（ステップＡ３１５）。
【０１７４】
次に、特図１変動フラグを設定して準備し（ステップＡ３１６）、特図１変動フラグをＲＷＭの変動図柄判別フラグ領域にセーブする（ステップＡ３１７）。
その後、変動パターンに関する情報を設定する対象のテーブルを準備して（ステップＡ３１８）、特図情報を設定する特図情報設定処理（ステップＡ３１９）を行う。ここで、遊技制御装置１００は、特図変動表示ゲームの実行態様の選択に用いるテーブルを設定するテーブル設定手段として機能する。続けて、第１特図変動表示ゲームにおける変動態様のうち、後半変動パターンを設定する後半変動パターン設定処理（ステップＡ３２０）を行った後、第１特図変動表示ゲームの変動態様を設定する変動パターン設定処理（ステップＡ３２１）を行う。その後、第１特図の変動開始の情報を設定する変動開始情報設定処理（ステップＡ３２２）を行って、特図１変動開始処理を終了する。
【０１７５】
〔特図２変動開始処理〕
次に、上述の特図普段処理における特図２変動開始処理（ステップＡ２８１）の詳細について説明する。
特図２変動開始処理は、上述した特図１変動開始処理と同様、特図２変動表示ゲームの開始時に行う処理であり、具体的には、図１７（ｂ）に示すように、先ず、第２特図変動表示ゲームが大当りであるか否かを判定するための大当りフラグ２にはずれ情報や大当り情報を設定する大当りフラグ２設定処理（ステップＡ３３１）を行う。そして、同様に、小当りフラグ２設定処理（ステップＡ３３２）を行う。
【０１７６】
次に、第２特図停止図柄（特図２停止図柄）の設定に係る特図２停止図柄設定処理（ステップＡ３３３）を行った後、第２特図停止図柄番号（特図２停止図柄番号）に対応する信号を試験信号の出力データ領域にセーブする（ステップＡ３３４）。
続いて、図柄情報領域から図柄情報をロードした後、当該図柄情報をＲＷＭの作業用の図柄情報領域にセーブする（ステップＡ３３５）。
【０１７７】
次に、特図２変動フラグを設定して準備し（ステップＡ３３６）、特図２変動フラグをＲＷＭの変動図柄判別フラグ領域にセーブする（ステップＡ３３７）。
その後、変動パターンに関する情報を設定する対象のテーブルを準備して（ステップＡ３３８）、特図情報を設定する特図情報設定処理（ステップＡ３３９）を行う。ここで、遊技制御装置１００は、特図変動表示ゲームの実行態様の選択に用いるテーブルを設定するテーブル設定手段として機能する。続けて、第２特図変動表示ゲームにおける変動態様のうち、後半変動パターンを設定する後半変動パターン設定処理（ステップＡ３４０）を行った後、第２特図変動表示ゲームの変動態様を設定する変動パターン設定処理（ステップＡ３４１）を行う。その後、第２特図の変動開始の情報を設定する変動開始情報設定処理（ステップＡ３４２）を行って、特図２変動開始処理を終了する。
【０１７８】
〔特図変動中処理〕
次に、上述の特図ゲーム処理における特図変動中処理（ステップＡ１０）の詳細について説明する。
図１８に示すように、特図変動中処理では、先ず、図柄情報がはずれ図柄情報かチェックする（ステップＡ３９１）。
図柄情報がはずれ図柄情報である場合（ステップＡ３９２；Ｙｅｓ）は、後半変動番号がリーチなし変動の番号かチェックする（ステップＡ３９３）。
【０１７９】
ステップＡ３９３にて、後半変動番号がリーチなし変動の番号である場合（ステップＡ３９４；Ｙｅｓ）は、はずれ時の特図表示時間ポインタを設定し（ステップＡ３９５）、ステップＡ３９８へ移行する。
一方、ステップＡ３９３にて、後半変動番号がリーチなし変動の番号でない場合（ステップＡ３９４；Ｎｏ）は、はずれリーチ時の特図表示時間ポインタを設定し（ステップＡ３９６）、ステップＡ３９８へ移行する。
また、ステップＡ３９１にて、図柄情報がはずれ図柄情報でない場合（ステップＡ３９２；Ｎｏ）は、大当り時又は小当り時の特図表示時間ポインタを設定し（ステップＡ３９７）、ステップＡ３９８へ移行する。
【０１８０】
ステップＡ３９８では、特図表示時間テーブルを設定する。そして、特図表示時間ポインタに対応する停止時間を取得する（ステップＡ３９９）。続けて、特図表示時間を特図ゲーム処理タイマ領域にセーブした（ステップＡ４００）後、特図表示中処理に移行するための特図表示中処理移行設定処理（ステップＡ４０１）を行い、特図変動中処理を終了する。
【０１８１】
〔特図表示中処理〕
次に、上述の特図ゲーム処理における特図表示中処理（ステップＡ１１）の詳細について説明する。
図１９に示すように、特図表示中処理では、まず、特図２変動開始処理にて設定された小当りフラグ２をロードして（ステップＡ４１１）、ＲＷＭの小当りフラグ２領域をクリアする（ステップＡ４１２）。次に、特図１変動開始処理にて設定された小当りフラグ１をロードして（ステップＡ４１３）、ＲＷＭの小当りフラグ１領域をクリアする（ステップＡ４１４）。
【０１８２】
その後、特図２変動開始処理における大当りフラグ２設定処理にて設定された大当りフラグ２をロードして（ステップＡ４１５）、ＲＷＭの大当りフラグ２領域をクリアする（ステップＡ４１６）。そして、ロードされた大当りフラグ２をチェックして（ステップＡ４１７）、大当りである場合（ステップＡ４１８；Ｙｅｓ）は、ＲＷＭの大当りフラグ１領域をクリアする（ステップＡ４２４）。次に、第２特図変動表示ゲームの大当り（特図２大当り）の開始に関する信号をＲＷＭの試験信号出力データ領域にセーブし（ステップＡ４２５）、ステップＡ４２６へ移行し、ラウンド数上限値テーブルを設定して（ステップＡ４２６）、ステップＡ４２７へ移行する。
【０１８３】
一方、ステップＡ４１８にて、大当りフラグ２のチェックの結果、大当りでない場合（ステップＡ４１８；Ｎｏ）と判定すると、特図１変動開始処理における大当りフラグ１設定処理にて設定された大当りフラグ１をロードして（ステップＡ４１９）、ＲＷＭの大当りフラグ１領域をクリアする（ステップＡ４２０）。そして、ロードされた大当りフラグ１をチェックして（ステップＡ４２１）、大当りである場合（ステップＡ４２２；Ｙｅｓ）は、第１特図変動表示ゲームの大当り（特図１大当り）の開始に関する信号をＲＷＭの試験信号出力データ領域にセーブし（ステップＡ４２３）、ステップＡ４２６へ移行し、ラウンド数上限値テーブルを設定して（ステップＡ４２６）、ステップＡ４２７へ移行する。
【０１８４】
ステップＡ４２７では、ラウンド数上限値情報に対応するラウンド数上限値を取得し、ＲＷＭのラウンド数上限値領域にセーブする。続けて、ラウンド数上限値情報に対応するラウンドＬＥＤポインタを取得し、ＲＷＭのラウンドＬＥＤポインタ領域にセーブする（ステップＡ４２８）。
【０１８５】
次に、普図変動表示ゲーム及び特図変動表示ゲームにて当り結果となる確率を通常確率状態（低確率状態）とする情報に係る確率情報コマンドを準備して（ステップＡ４２９）、コマンド設定処理（ステップＡ４３０）を行う。続けて、図柄情報に対応するファンファーレコマンドを準備して（ステップＡ４３１）、コマンド設定処理（ステップＡ４３２）を行う。その後、飾り特図変動表示ゲームに係る停止図柄パターン情報に対応する飾り特図コマンドをＲＷＭの飾り特図コマンド領域からロードして準備し（ステップＡ４３３）、コマンド設定処理（ステップＡ４３４）を行う。
【０１８６】
次に、大入賞口開放情報に対応する信号をＲＷＭの外部情報出力データ領域にセーブする（ステップＡ４３５）。続けて、普図変動表示ゲーム及び特図変動表示ゲームにて当り結果となる確率の状態に対応する信号をＲＷＭの外部情報出力データ領域にセーブする（ステップＡ４３６）。その後、図２１に示すステップＡ４３７へ移行し、大入賞口開放情報に対応する大当りファンファーレ時間を設定して（ステップＡ４３７）、当該大当りファンファーレ時間を特図ゲーム処理タイマにセーブする（ステップＡ４３８）。その後、大入賞口への不正入賞数をリセットした後（ステップＡ４３９）、大入賞口不正監視期間フラグに不正監視期間外フラグをセーブする（ステップＡ４４０）。そして、ファンファーレ／インターバル中処理に移行するためのファンファーレ／インターバル中処理移行設定処理（ステップＡ４４１）を行い、特図表示中処理を終了する。
【０１８７】
また、ステップＡ４２２にて、大当りフラグ１のチェックの結果、大当りでない場合（ステップＡ４２２；Ｎｏ）と判定すると、図２０に示すステップＡ４４２へ移行する。
ステップＡ４４２では、小当りフラグ１をチェックして（ステップＡ４４２）、小当りでない場合（ステップＡ４４３；Ｎｏ）は、小当りフラグ２をチェックして（ステップＡ４４４）、小当りでない場合（ステップＡ４４５；Ｎｏ）は、変動回数更新処理（ステップＡ４４６）を行った後、特図普段処理へ移行するための特図普段処理移行設定処理１（ステップＡ４４７）を行い、特図表示中処理を終了する。
【０１８８】
また、ステップＡ４４２にて、小当りフラグ１のチェックの結果、小当りである（ステップＡ４４３；Ｙｅｓ）と判定した場合、又は、ステップＡ４４４にて、小当りフラグ２のチェックの結果、小当りである（ステップＡ４４５；Ｙｅｓ）と判定した場合は、変動回数更新処理（ステップＡ４４８）を行った後、ファンファーレコマンドを準備して（ステップＡ４４９）、コマンド設定処理（ステップＡ４５０）を行う。
【０１８９】
続けて、飾り特図コマンド領域からコマンドをロードし、準備して（ステップＡ４５１）、コマンド設定処理（ステップＡ４５２）を行う。次に、小当り大入賞口開放情報が特図１の小当り開放情報かチェックして（ステップＡ４５３）、当該小当り大入賞口開放情報が特図１の小当り開放情報である場合（ステップＡ４５４；Ｙｅｓ）は、特図１の小当りファンファーレ中処理へ移行するための小当りファンファーレ中処理移行設定処理１（ステップＡ４５５）を行い、特図表示中処理を終了する。また、当該小当り大入賞口開放情報が特図１の小当り開放情報でない場合（ステップＡ４５４；Ｎｏ）は、特図２の小当りファンファーレ中処理へ移行するための小当りファンファーレ中処理移行設定処理２（ステップＡ４５６）を行い、特図表示中処理を終了する。
ここで、遊技制御装置１００は、特図表示中処理を実行することで、始動記憶手段（遊技制御装置１００）に記憶された各種乱数値を判定する判定手段として機能する。
【０１９０】
〔変動回数更新処理〕
次に、上述の特図表示中処理における変動回数更新処理（ステップＡ４４６、Ａ４４８）の詳細について説明する。
図２２に示すように、変動回数更新処理では、まず、時短時、すなわち普通変動入賞装置３７の動作状態が時短動作状態であるか否かを判定する（ステップＡ４６１）。
ここで、時短時でない（ステップＡ４６１；Ｎｏ）と判定すると、変動回数更新処理を終了する。一方、時短時である（ステップＡ４６１；Ｙｅｓ）と判定すると、確率状態が高確率状態であるか否かを判定する（ステップＡ４６２）。そして、確率状態が高確率状態であると判定された場合（ステップＡ４６２；Ｙｅｓ）は、高確時変動回数更新処理（ステップＡ４６３）を行い、変動回数更新処理を終了する。なお、高確時変動回数更新処理の詳細については後述する。また、確率状態が高確率状態でないと判定された場合（ステップＡ４６２；Ｎｏ）は、普通変動入賞装置３７の動作状態を時短動作状態とする特図変動表示ゲームの実行回数を管理するための時短変動回数を−１更新し（ステップＡ４６４）、停止図柄情報に対応するテーブル情報を取得する（ステップＡ４６５）。そして、時短変動回数が変動パターンテーブルを変更する変更対象回数を１減算した値か否か判定する（ステップＡ４６６）。なお、時短変動回数は、所定の特別結果態様の導出に基づく特別遊技状態の終了時に普通変動入賞装置３７の動作状態を時短動作状態とする特図変動表示ゲームの実行回数（例えば、１００回）が初期値として設定される。
【０１９１】
ここで、時短変動回数が変更対象回数を１減算した値である（ステップＡ４６７；Ｙｅｓ）と判定した場合は、テーブル情報に基づく変動パターンテーブルを設定し（ステップＡ４６８）、ステップＡ４６９へ移行する。ここで、遊技制御装置１００は、特別遊技状態の終了後、特図変動表示ゲームの実行回数を計数する計数手段として機能するとともに、当該計数手段の計数結果が、予め定められた切替回数となると、テーブル設定手段（遊技制御装置１００）によって設定されたテーブルを変更するテーブル変更手段として機能する。
また、時短変動回数が変更対象回数を１減算した値でない（ステップＡ４６７；Ｎｏ）と判定した場合は、ステップＡ４６８をスキップして、ステップＡ４６９へ移行する。
【０１９２】
ステップＡ４６９では、時短変動回数が０か否か判定する（ステップＡ４６９）。
ここで、時短変動回数が０でない場合（ステップＡ４６９；Ｎｏ）、すなわち、次の特図変動表示ゲームでも普通変動入賞装置３７の動作状態を時短動作状態とする場合は、変動回数更新処理を終了する。一方、時短変動回数が０である場合（ステップＡ４６９；Ｙｅｓ）、すなわち、今回の特図変動表示ゲームで普通変動入賞装置３７の動作状態を時短動作状態とする期間を終了する場合は、時短終了時情報設定処理（ステップＡ４７０）を行い、変動回数更新処理を終了する。なお、時短終了時情報設定処理の詳細については後述する。
【０１９３】
〔高確時変動回数更新処理〕
次に、上述の変動回数更新処理における高確時変動回数更新処理（ステップＡ４６３）の詳細について説明する。
図２３に示すように、高確時変動回数更新処理では、まず、特図変動回数を−１更新し（ステップＡ４８１）、停止図柄情報に対応するテーブル情報を取得する（ステップＡ４８２）。そして、特図変動回数が変更対象回数を１減算した値か否か判定する（ステップＡ４８３）。
【０１９４】
ここで、特図変動回数が変更対象回数を１減算した値である（ステップＡ４８４；Ｙｅｓ）と判定した場合は、テーブル情報に基づく変動パターンテーブルを設定し（ステップＡ４８５）、ステップＡ４８６へ移行する。ここで、遊技制御装置１００は、特別遊技状態の終了後、特図変動表示ゲームの実行回数を計数する計数手段として機能するとともに、当該計数手段の計数結果が、予め定められた切替回数となると、テーブル設定手段（遊技制御装置１００）によって設定されたテーブルを変更するテーブル変更手段として機能する。
また、特図変動回数が変更対象回数を１減算した値でない（ステップＡ４８４；Ｎｏ）と判定した場合は、ステップＡ４８５をスキップして、ステップＡ４８６へ移行する。
【０１９５】
ステップＡ４８６では、特図変動回数が０か否か判定する（ステップＡ４８６）。
ここで、特図変動回数が０でない場合（ステップＡ４８６；Ｎｏ）は、高確時変動回数更新処理を終了する。一方、特図変動回数が０である場合（ステップＡ４８６；Ｙｅｓ）は、特図変動回数領域をリセットし（ステップＡ４８７）、高確時変動回数更新処理を終了する。
【０１９６】
〔時短終了時情報設定処理〕
次に、上述の変動回数更新処理における時短終了時情報設定処理（ステップＡ４７０）の詳細について説明する。
図２４に示すように、時短終了時情報設定処理では、まず、時短終了時の確率情報コマンドを準備し（ステップＡ４９１）、コマンド設定処理（ステップＡ４９２）を行う。
【０１９７】
次いで、時短の終了に関する信号を外部情報出力データ領域にセーブし（ステップＡ４９３）、また、時短の終了に関する情報を試験信号出力データ領域にセーブする（ステップＡ４９４）。続けて、遊技状態表示番号領域に低確率時の番号をセーブし（ステップＡ４９５）、普図ゲームモードフラグ領域に普図低確率／普電サポートなしフラグをセーブする（ステップＡ４９６）。そして、特図ゲームモードフラグ領域に特図低確率フラグをセーブし（ステップＡ４９７）、停電復旧時送信コマンド領域に確率情報コマンド（低確率）をセーブして（ステップＡ４９８）、時短終了時情報設定処理を終了する。
【０１９８】
〔大当り終了処理〕
次に、上述の特図ゲーム処理における大当り終了処理（ステップＡ１５）の詳細について説明する。
図２５に示すように、大当り終了処理では、まず、今回の特図変動表示ゲームを実行する契機となった特別結果態様の種類に応じて設定される確率変動判定フラグをロードし（ステップＡ５０１）、当該確率変動判定フラグによる分岐処理（ステップＡ５０２）を行う。
【０１９９】
確率変動判定フラグが１である場合は、大当り終了設定処理１（ステップＡ５０３）を行う。当該処理は、特別遊技状態の終了後に高確率状態となるとともに確率状態を報知する状態となる特別結果態様を導出した場合に実行される処理である。
【０２００】
また、確率変動判定フラグが２である場合は、大当り終了設定処理２（ステップＡ５０４）を行う。当該処理は、特別遊技状態の終了後に通常確率状態となるとともに確率状態を報知する状態となる特別結果態様を導出した場合に実行される処理である。
【０２０１】
大当り終了設定処理１又は２の処理が行われた後、確率変動判定フラグに対応する確率情報コマンドを準備して（ステップＡ５０５）、コマンド設定処理（ステップＡ５０６）を行う。そして、特図普段処理に移行するための特図普段処理移行設定処理２（ステップＡ５０７）を行い、大当り終了処理を終了する。
【０２０２】
〔大当り終了設定処理１〕
次に、上述の大当り終了処理における大当り終了設定処理１（ステップＡ５０３）の詳細について説明する。
図２６（ａ）に示すように、大当り終了設定処理１では、まず、高確率時の開始に関する信号を外部情報出力データ領域にセーブし（ステップＡ５１１）、高確率時の開始に関する信号を試験信号出力データ領域にセーブする（ステップＡ５１２）。次に、遊技状態表示番号領域に高確率時の番号をセーブし（ステップＡ５１３）、普図ゲームモードフラグ領域に普図高確率／普電サポートフラグをセーブする（ステップＡ５１４）。
【０２０３】
続けて、特図ゲームモードフラグ領域に高確率／時短フラグをセーブする（ステップＡ５１５）。そして、停止図柄情報に対応するテーブル情報を設定し（ステップＡ５１６）、停電復旧時送信コマンド領域に確率情報コマンド（高確率）をセーブする（ステップＡ５１７）。そして、時間短縮変動回数領域をリセットし（ステップＡ５１８）、特図変動回領域に特図変動回数初期値をセーブして（ステップＡ５１９）、大当り終了設定処理１を終了する。
以上の処理により、特別遊技状態の終了後、確率状態が高確率状態となるとともに普通変動入賞装置３７の動作状態が時短動作状態となる。また、確率状態が明確に報知される状態となる。
【０２０４】
〔大当り終了設定処理２〕
次に、上述の大当り終了処理における大当り終了設定処理２（ステップＡ５０４）の詳細について説明する。
図２６（ｂ）に示すように、大当り終了設定処理２では、まず、時短時の開始に関する信号を外部情報出力データ領域にセーブし（ステップＡ５２１）、時短時の開始に関する信号を試験信号出力データ領域にセーブする（ステップＡ５２２）。次に、遊技状態表示番号領域に時短時の番号をセーブし（ステップＡ５２３）、普図ゲームモードフラグ領域に普図高確率／普電サポートフラグをセーブする（ステップＡ５２４）。
【０２０５】
続けて、特図ゲームモードフラグ領域に低確率／時短フラグをセーブする（ステップＡ５２５）。そして、停止図柄情報に対応するテーブル情報を設定し（ステップＡ５２６）、停電復旧時送信コマンド領域に確率情報コマンド（時短）をセーブする（ステップＡ５２７）。そして、時間短縮変動回数領域に時間短縮変動回数初期値（例えば、１００）をセーブして（ステップＡ５２８）、大当り終了設定処理２を終了する。
以上の処理により、特別遊技状態の終了後、確率状態が低確率状態となるとともに普通変動入賞装置３７の動作状態が時短動作状態となる。また、確率状態が明確に報知される状態となる。
【０２０６】
〔１ｓｔメイン処理〕
主制御用マイコン（１ｓｔＣＰＵ）３１１では、図２７に示す１ｓｔメイン処理を行う。この１ｓｔメイン処理においては、はじめにプログラム開始時の処理を行う。このプログラム開始時の処理として、まず、割込みを禁止し（ステップＢ１１）、ＲＡＭを０クリアして（ステップＢ１２）、ＣＰＵを初期化するＣＰＵ初期化処理（ステップＢ１３）を行う。次に、ＲＡＭの初期値を設定し（ステップＢ１４）、乱数を初期化する乱数初期化処理（ステップＢ１５）を行い、各種割込みのタイマを起動して（ステップＢ１６）、割込みを許可する（ステップＢ１７）。
【０２０７】
次に、メインループ処理としてループの処理を行う。このループの処理では、まず、ＷＤＴ（watchdog timer）をクリアし（ステップＢ１８）、演出ボタン２５の操作に基づく入力信号（立ち上がりエッジ）から入力情報を作成する演出ボタン入力処理（ステップＢ１９）を行う。その後、遊技制御コマンド解析処理（ステップＢ２０）を行う。この遊技制御コマンド解析処理（ステップＢ２０）では、遊技制御装置１００から送信される遊技に関するコマンドを正しく受信したかを判定し、正しく受信していた場合にはコマンドを確定して、後述するシーン制御処理のためのコマンドの区分けをする処理を行う。
【０２０８】
次に、表示装置４１や装飾装置、演出装置等のテストを行うためのテストモードに関する処理であるテストモード処理（ステップＢ２１）を行う。このテストモード処理（ステップＢ２１）によりテストモードとなった場合は、以降の遊技に関する処理は行わない。ただし、テストモードにおいて表示装置４１での表示やスピーカからの音声の出力、装飾装置のＬＥＤの発光、演出装置の動作等を行う場合は、これらを制御するための処理において制御を行う。なお、テストモードは遊技機の電源を遮断することで終了するようになっている。
【０２０９】
そして、遊技の演出の制御に関する１ｓｔシーン制御処理（ステップＢ２２）を行う。この１ｓｔシーン制御処理（ステップＢ２２）の詳細については後述する。次に、遊技機でエラーが発生した場合に遊技制御装置１００から送信されるエラー報知コマンドに基づき、対応する報知を行う遊技機エラー監視処理（ステップＢ２３）を行う。なお、対応する報知を行うための表示装置４１での表示やスピーカからの音声の出力、装飾装置のＬＥＤの発光、演出装置の動作等は、これらを制御するための処理（例えば、スピーカからの音声の出力であれば、サウンド制御処理）において制御を行う。
【０２１０】
その後、映像制御用マイコン（２ｎｄＣＰＵ）３１２に出力するコマンドを編集する演出コマンド編集処理（ステップＢ２４）を行い、スピーカ（上スピーカ１９ａ、下スピーカ１９ｂ）からの音声の出力に関する制御を行うサウンド制御処理（ステップＢ２５）を行う。次に、盤装飾装置４２、枠装飾装置１８のＬＥＤの制御を行う装飾制御処理（ステップＢ２６）、盤演出装置４４、枠演出装置４５のモータやソレノイドの制御を行うモータ／ＳＯＬ制御処理（ステップＢ２７）を行う。そして、飾り特図変動表示ゲームの変動態様の詳細を決定する乱数を更新する乱数更新処理（ステップＢ２８）を行って、ＷＤＴをクリアする処理（ステップＢ１８）に戻る。
【０２１１】
〔２ｎｄメイン処理〕
映像制御用マイコン（２ｎｄＣＰＵ）３１２では、図２８に示す２ｎｄメイン処理を行う。この２ｎｄメイン処理においては、はじめにプログラム開始時の処理を行う。このプログラム開始時の処理として、まず、ＣＰＵを初期化するＣＰＵ初期化処理（ステップＢ３１）を行い、ＲＡＭを０クリアして（ステップＢ３２）、ＲＡＭの初期値を設定する（ステップＢ３３）。次に、ＶＤＰを初期化するＶＤＰ初期化処理（ステップＢ３４）を行い、各種割込みを許可する（ステップＢ３５）。さらに、各種制御処理の初期化処理（ステップＢ３６）を行い、画面描画を許可する（ステップＢ３７）。
【０２１２】
次に、メインループ処理としてループの処理を行う。このループの処理では、まず、システム周期待ちフラグをクリアし（ステップＢ３８）、システム周期待ちフラグが１であるか否かの判定を行う（ステップＢ３９）。システム周期とは、画像データを一時的に格納する二つのバッファを切り替える周期であって、切り替えが可能な状態となるとシステム周期フラグが「１」となる。このシステム周期待ちフラグが１となるまでは、システム周期待ちフラグが１であるか否かの判定（ステップＢ３９）を繰り返し、システム周期待ちフラグが１となると（ステップＢ３９；Ｙｅｓ）、ＷＤＴ（watchdog timer）をクリアし（ステップＢ４０）、通常ゲーム処理（ステップＢ４１）を行って、システム周期待ちフラグをクリアする処理（ステップＢ３８）に戻る。
【０２１３】
〔通常ゲーム処理〕
図２９には、図２８に示した２ｎｄメイン処理における通常ゲーム処理（ステップＢ４１）を示した。この通常ゲーム処理では、まず、受信コマンドチェック処理（ステップＢ５１）を行う。この受信コマンドチェック処理（ステップＢ５１）では、１ｓｔＣＰＵから送信されるコマンドを正しく受信したかを判定し、正しく受信していた場合にはコマンドを確定して、後述する２ｎｄシーン制御処理のためのコマンドの区分けをする処理を行う。次に、受信したコマンドに基づき、表示内容を決定する２ｎｄシーン制御処理（ステップＢ５２）を行う。この２ｎｄシーン制御処理（ステップＢ５２）では、予告キャラクタ等の設定や表示優先順位の設定を行う。
【０２１４】
その後、背景の設定を行う背景処理（ステップＢ５３）を行い、飾り特図変動表示ゲームにおける識別情報の変動に関する表示制御処理であるリール制御／表示処理（ステップＢ５４）を行う。さらに、特図１保留表示器及び特図２保留表示器の表示に連動して表示装置４１に表示される飾り特図保留数表示の設定を行う保留表示処理（ステップＢ５５）を行い、客待ちデモの表示に関する客待ちデモ処理（ステップＢ５６）を行う。そして、ＲＯＭのデータをＲＡＭに設定されたバッファに転送し、実際に表示をさせる処理を行う表示システム処理（ステップＢ５７）を行って、通常ゲーム処理を終了する。
【０２１５】
〔１ｓｔシーン制御処理〕
図３０には、図２７に示した１ｓｔメイン処理における１ｓｔシーン制御処理（ステップＢ２２）を示した。この１ｓｔシーン制御処理では、まず、テストモード中であるかを判定し（ステップＢ６１）、テストモード中である場合（ステップＢ６１；Ｙｅｓ）は、１ｓｔシーン制御処理を終了する。また、テストモード中でない場合（ステップＢ６１；Ｎｏ）は、シーン変更コマンドを受信したか否かを判定する（ステップＢ６２）。
【０２１６】
シーン変更コマンドは、遊技制御装置１００から演出制御装置３００に送信される遊技に関する各種のコマンドである。このシーン変更コマンドを受信した場合（ステップＢ６２；Ｙｅｓ）は、更新する遊技状態（現在の遊技状態）を取得し（ステップＢ６３）、有効なコマンドであるかを判定する（ステップＢ６４）。有効なコマンドであるかの判定（ステップＢ６４）では、受信したシーン変更コマンドが取得した現在の遊技状態に対して有効なものであるかを判定する。そして、有効なコマンドである場合（ステップＢ６４；Ｙｅｓ）は、受信コマンドをセーブし（ステップＢ６５）、演出リクエストフラグをセットして（ステップＢ６６）、受信したコマンドのコマンド識別子による分岐処理（ステップＢ６７）を行う。
【０２１７】
一方、シーン変更コマンドを受信していない場合（ステップＢ６２；Ｎｏ）や、有効なコマンドでなかった場合（ステップＢ６４；Ｎｏ）は、受信したコマンドのコマンド識別子による分岐処理（ステップＢ６７）を行う。この場合、直近の有効であったコマンドの識別子による分岐を行う。
【０２１８】
コマンド識別子による分岐処理（ステップＢ６７）では、受信したコマンドに基づき実行する処理を選択する。電源投入コマンドを受信した場合は電源投入時に必要な処理を行う電源投入処理（ステップＢ６８）を行う。また、停電復旧コマンドを受信した場合は停電復旧時に必要な処理を行う停電復旧（客待ち以外）処理（ステップＢ６９）を行う。また、客待ちデモコマンドを受信した場合は客待ちデモの表示に関する処理等を行う客待ち処理（ステップＢ７０）を行う。
【０２１９】
また、変動パターンコマンドを受信した場合は飾り特図変動表示ゲームの実行に関する処理等を行う変動中処理（ステップＢ７１）を行う。この変動中処理（ステップＢ７１）では、飾り特図変動表示ゲームを行うために必要な情報の設定を行う。この飾り特図変動表示ゲームを行うために必要な情報の設定では、例えば、遊技制御装置１００から送信された変動パターンコマンドに含まれる情報（大当りか否か、モード情報、変動パターン情報など）に基づき演出（変動パターンや変動時間など）の設定を行う。
【０２２０】
また、ファンファーレコマンドを受信した場合は特別遊技状態の開始に関する処理であるファンファーレ処理（ステップＢ７２）を行う。また、大入開放ｎ回目コマンドを受信した場合はラウンド遊技に関する処理であるラウンド中処理（ステップＢ７３）を行う。また、インターバルコマンドを受信した場合はラウンド間のインターバルに関する処理であるインターバル処理（ステップＢ７４）を行う。また、エンディングコマンドを受信した場合は特別遊技状態の終了に関する処理であるエンディング処理（ステップＢ７５）を行う。
【０２２１】
コマンド識別子による分岐処理（ステップＢ６７）により選択された上述の各処理を行った後、即座に映像に反映されないコマンドに基づく処理を行う。この処理として、まず、特図変動表示ゲームの停止図柄に関する情報を含む飾り特図コマンドに基づく処理を行う図柄コマンド受信処理（ステップＢ７６）を行い、始動記憶の増減に関する情報を含む保留数コマンド（特図１保留数コマンド、特図２保留数コマンド）に基づく処理を行う保留数コマンド受信処理（ステップＢ７７）を行う。
【０２２２】
さらに、始動記憶に基づく特図変動表示ゲームの結果等を当該特図変動表示ゲームの実行前に事前に判定する先読み処理の結果を含む先読み情報コマンド（始動口入賞演出コマンド、始動口入賞演出図柄コマンド）に基づく処理を行う先読みコマンド受信処理（ステップＢ７８）を行う。その後、確率状態に関する情報を含む確率情報コマンド（低確率、高確率）に基づく処理を行う確率情報コマンド受信処理（ステップＢ７９）を行い、１ｓｔシーン制御処理を終了する。
【０２２３】
〔変動中処理〕
図３１には、図３０に示す１ｓｔシーン制御処理における変動中処理（ステップＢ７１）を示した。この変動中処理では、まず、演出リクエストフラグがあるか否かを判定する（ステップＢ８１）。演出リクエストフラグは、有効なコマンドを受信した場合に設定されるフラグであって、このフラグがある場合は受信したコマンドに基づく処理を行う。
【０２２４】
この演出リクエストフラグがある場合（ステップＢ８１；Ｙｅｓ）は、演出ボタン２５の入力に関する情報であるＰＢ情報をクリアし（ステップＢ８２）、可動体リクエストセット処理（ステップＢ８３）を行う。次に、飾り特図変動表示ゲームの実行態様を設定するための変動パターン情報設定処理（ステップＢ８４）を行い、乱数シード初期化処理（ステップＢ８５）を行って、設定された変動パターンに対応するシーンシーケンステーブルを設定する（ステップＢ８６）。シーンシーケンステーブルは、飾り特図変動表示ゲームにおける変動表示の開始や停止、演出用キャラクタの表示等の各種表示の実行タイミングや時間を管理するテーブルである。シーンシーケンステーブルには、実行内容と時間とが定義された複数のシーンの実行順序が設定されており、このシーンシーケンステーブルに従い順次シーンを実行することで飾り特図変動表示ゲームが実行される。
【０２２５】
その後、特定遊技状態とする回数等（普通変動入賞装置３７を時短動作状態とする回数等）を管理する変動回数管理処理（ステップＢ８７）を行い、飾り特図変動表示ゲームの変動時間を更新タイマに設定する変動時間設定処理（ステップＢ８８）を行う。そして、演出リクエストフラグをクリアして（ステップＢ８９）、変動中処理を終了する。
【０２２６】
一方、演出リクエストフラグがない場合（ステップＢ８１；Ｎｏ）は、更新タイマの値が０であるかを判定する（ステップＢ９０）。この場合、更新タイマはシーンシーケンステーブルに従い管理されるシーンの実行時間を計時しており、この更新タイマの値が０であるとは、実行されていたシーンが終了したことを示す。この更新タイマの値が０でない場合（ステップＢ９０；Ｎｏ）は、変動中処理を終了する。また、この更新タイマの値が０である場合（ステップＢ９０；Ｙｅｓ）は、次シーンデータの設定（ステップＢ９１）を行い、変動中処理を終了する。これにより、新たなシーンが開始されるとともに更新タイマにシーンに応じた所定の値が設定される。
【０２２７】
〔変動パターン情報設定処理〕
図３２には、図３１に示す変動中処理における変動パターン情報設定処理（ステップＢ８４）を示した。この変動パターン情報設定処理では、まず、飾り特図変動表示ゲームの停止図柄情報を取得し（ステップＢ１０１）、始動記憶に関する情報である保留情報をセーブする（ステップＢ１０２）。
【０２２８】
次に、確率状態や普通変動入賞装置３７の動作状態、演出モード等の遊技状態を取得し（ステップＢ１０３）、始動記憶領域に記憶されている演出情報を取得する（ステップＢ１０４）。その後、飾り特図変動表示ゲームの停止図柄を設定し（ステップＢ１０５）、遊技状態と演出情報に基づきコマンドに対応する変動パターンを決定し（ステップＢ１０６）、変動パターン情報設定処理を終了する。
【０２２９】
〔変動回数管理処理〕
図３３には、図３１に示す変動中処理における変動回数管理処理（ステップＢ８７）を示した。この変動回数管理処理では、まず、時短時、すなわち普通変動入賞装置３７の動作状態が時短動作状態であるか否かを判定する（ステップＢ１１１）。
ここで、時短時でない（ステップＢ１１１；Ｎｏ）と判定すると、変動回数管理処理を終了する。一方、時短時である（ステップＢ１１１；Ｙｅｓ）と判定すると、確率状態が高確率状態であるか否かを判定する（ステップＢ１１２）。そして、確率状態が高確率状態であると判定された場合（ステップＢ１１２；Ｙｅｓ）は、高確時変動回数管理処理（ステップＢ１１３）を行い、変動回数管理処理を終了する。なお、高確時変動回数管理処理の詳細については後述する。また、確率状態が高確率状態でないと判定された場合（ステップＢ１１２；Ｎｏ）は、普通変動入賞装置３７の動作状態を時短動作状態とする特図変動表示ゲームの実行回数を管理するための時短変動回数を−１更新し（ステップＢ１１４）、停止図柄情報に対応するテーブル情報を取得する（ステップＢ１１５）。そして、時短変動回数が変動パターンテーブルを変更する変更対象回数と一致するか否かチェックする（ステップＢ１１６）。なお、時短変動回数は、所定の特別結果態様の導出に基づく特別遊技状態の終了時に普通変動入賞装置３７の動作状態を時短動作状態とする特図変動表示ゲームの実行回数（例えば、１００回）が初期値として設定される。
【０２３０】
ここで、時短変動回数が変更対象回数と一致する値である（ステップＢ１１７；Ｙｅｓ）と判定した場合は、保留記憶領域の情報を取得し（ステップＢ１１８）、保留内に大当りとなる情報があるか否かチェックする（ステップＢ１１９）。
そして、保留内に大当りとなる情報がない場合（ステップＢ１２０；Ｎｏ）は、テーブル情報に基づく演出情報を設定し（ステップＢ１２１）、ステップＢ１２２へ移行する。
また、時短変動回数が変更対象回数と一致する値でない（ステップＢ１１７；Ｎｏ）と判定した場合、又は、保留内に大当りとなる情報がある場合（ステップＢ１２０；Ｙｅｓ）は、ステップＢ１２２へ移行する。
【０２３１】
ステップＢ１２２では、時短変動回数が０か否か判定する（ステップＢ１２２）。
ここで、時短変動回数が０でない場合（ステップＢ１２２；Ｎｏ）、すなわち、次の特図変動表示ゲームでも普通変動入賞装置３７の動作状態を時短動作状態とする場合は、変動回数更新処理を終了する。一方、時短変動回数が０である場合（ステップＢ１２２；Ｙｅｓ）、すなわち、今回の特図変動表示ゲームで普通変動入賞装置３７の動作状態を時短動作状態とする期間を終了する場合は、時短終了に関する演出を設定し（ステップＢ１２３）、時短フラグをクリアして（ステップＢ１２４）、変動回数管理処理を終了する。
【０２３２】
〔高確時変動回数管理処理〕
次に、上述の変動回数管理処理における高確時変動回数管理処理（ステップＢ１１３）の詳細について説明する。
図３４に示すように、高確時変動回数管理処理では、まず、特図変動回数を−１更新し（ステップＢ１３１）、停止図柄情報に対応するテーブル情報を取得する（ステップＢ１３２）。そして、特図変動回数が変更対象回数と一致する値か否かチェックする（ステップＢ１３３）。
【０２３３】
ここで、特図変動回数が変更対象回数と一致する値である（ステップＢ１３４；Ｙｅｓ）と判定した場合は、保留記憶領域の情報を取得し（ステップＢ１３５）、保留内に大当りとなる情報があるか否かチェックする（ステップＢ１３６）。
そして、保留内に大当りとなる情報がない場合（ステップＢ１３７；Ｎｏ）は、テーブル情報に基づく演出情報を設定し（ステップＢ１３８）、ステップＢ１３９へ移行する。
また、時短変動回数が変更対象回数と一致する値でない（ステップＢ１３４；Ｎｏ）と判定した場合、又は、保留内に大当りとなる情報がある場合（ステップＢ１３７；Ｙｅｓ）は、ステップＢ１３９へ移行する。
【０２３４】
ステップＢ１３９では、特図変動回数が０か否か判定する（ステップＢ１３９）。
ここで、特図変動回数が０でない場合（ステップＢ１３９；Ｎｏ）は、高確時変動回数管理処理を終了する。一方、特図変動回数が０である場合（ステップＢ１３９；Ｙｅｓ）は、特図変動回数領域をリセットし（ステップＢ１４０）、高確時変動回数管理処理を終了する。
【０２３５】
〔エンディング処理〕
図３５には、図３０に示す１ｓｔシーン制御処理におけるエンディング処理（ステップＢ７５）を示した。このエンディング処理では、まず、演出リクエストフラグがあるか否かを判定し（ステップＢ１５１）、演出リクエストフラグがあると判定された場合（ステップＢ１５１；Ｙｅｓ）は、大当りに関する情報を取得する（ステップＢ１５２）。
【０２３６】
次に、当該処理の対象である大当りが確変大当りであるか否かをチェックする（ステップＢ１５３）。
ここで、確変大当りでないと判定された場合（ステップＢ１５４；Ｎｏ）は、時短フラグをセットし（ステップＢ１５６）、時短変動回数（例えば、１００）をセットし（ステップＢ１５７）、ステップＢ１５８へ移行する。一方、確変大当りであると判定された場合（ステップＢ１５４；Ｙｅｓ）は、特図変動回数をセットし（ステップＢ１５５）、ステップＢ１５８へ移行する。
【０２３７】
ステップＢ１５８では、対応する変動パターンテーブルをセットし（ステップＢ１５８）、演出リクエストフラグをクリアして（ステップＢ１５９）、エンディング処理を終了する。
また、ステップＢ１５１にて、演出リクエストフラグが無いと判定された場合（ステップＢ１５１；Ｎｏ）は、更新タイマが０であるかを判定する（ステップＢ１６０）。この場合、更新タイマは特別遊技状態の終了時のエンディング時間を計時しており、この更新タイマの値が０であるとはエンディング時間が経過したことを示す。この更新タイマの値が０でないと判定された場合（ステップＢ１６０；Ｎｏ）は、エンディング処理を終了する。また、この更新タイマの値が０であると判定された場合（ステップＢ１６０；Ｙｅｓ）は、エンディング終了を設定し（ステップＢ１６１）、エンディング処理を終了する。
【０２３８】
〔先読みコマンド受信処理〕
図３６には、図３０に示す１ｓｔシーン制御処理における先読みコマンド受信処理（ステップＢ７８）を示した。この先読みコマンド受信処理では、まず、先読み情報コマンドを受信したか否かを判定する（ステップＢ１７１）。
【０２３９】
ここで、先読み情報コマンドを受信していないと判定された場合（ステップＢ１７１；Ｎｏ）は、先読みコマンド受信処理を終了する。一方、先読み情報コマンドを受信したと判定された場合（ステップＢ１７１；Ｙｅｓ）は、先読み情報を対応する保留記憶領域にセーブする（ステップＢ１７２）。
【０２４０】
次に、先読み演出中であるか否かをチェックし（ステップＢ１７３）、先読み演出中であると判定された場合（ステップＢ１７４；Ｙｅｓ）は、先読みコマンド受信処理を終了する。一方、先読み演出中でないと判定された場合（ステップＢ１７４；Ｎｏ）は、先読み演出設定処理（ステップＢ１７５）を行い、先読みコマンド受信処理を終了する。
【０２４１】
次に、大当り終了後の第１予告回数（切替回数）（１５回）での予告演出及び第１所定回数（次の切替回数）での所定の演出の表示例について、図３７を用いて説明する。なお、第１予告回数での予告演出後、第１所定回数の特図変動表示ゲームが行われるまでの間は大当りが発生しないものとする。
【０２４２】
図３７（ａ）は、第１予告回数の特図変動表示ゲーム中の予告演出表示を示す図である。
当該第１予告回数は、変動パターンテーブルを変更する変更対象回数となっており、このとき、はずれ用の変動パターンテーブルＡからはずれ用の変動パターンテーブルＢに切り替えられることとなる（ステップＢ１２１、ステップＢ１３８参照）。そして、表示部４１ａには、「☆予言モード中☆」の表示を行うとともに、当該第１予告回数と対応付けられた第１所定回数（３０回）の特図変動表示ゲームにてリーチが発生したら大当りとなることを示唆する「１５回転後にリーチがくれば！？」の表示を行う。
なお、表示部４１ａの右上部に当該予言モードの累積回数を表示するようにしても良い。
【０２４３】
次いで、図３７（ｂ）〜（ｇ）に示すように、大当り終了後、１６〜２９回目の特図変動表示ゲームでは、第１所定回数（３０回）の特図変動表示ゲームが開始されるまでのカウントダウン表示を行う。
【０２４４】
図３７（ｈ）〜（ｌ）は、第１予告回数の予告演出に関連した所定の演出表示を示す図である。
当該第１所定回数は、変動パターンテーブルを変更する変更対象回数となっており、特図変動表示ゲームの結果がはずれであれば、はずれ用の変動パターンテーブルＡからはずれ用の変動パターンテーブルＢに、そして、大当りであれば、大当り用の変動パターンテーブルＤから大当り用の変動パターンテーブルＡに切り替えられることとなる（ステップＢ１２１、ステップＢ１３８参照）。
【０２４５】
図３７（ｈ）は、第１所定回数の演出開始時の表示を示す図であり、表示部４１ａには、第１所定回数に達したことを報知する「０！！」の表示を行う。そして、所定時間が経過すると、図３７（ｉ）のように、「リーチよ！こいっ！！」の表示を行い、さらに所定時間が経過し左図柄が停止すると、図３７（ｊ）のように、「こ〜いっ！！」の表示を行う。
そして、当該特図変動表示ゲームの結果がはずれの場合は、図３７（ｋ）のように、右図柄が左図柄と異なる図柄で停止した段階で「ざんねん…」の表示を行い、はずれが導出されることとなる。
一方、当該特図変動表示ゲームの結果が大当りの場合は、図３７（ｌ）のように、右図柄が左図柄と同じ図柄で停止（リーチ）した段階で「きたぁ〜っ！！」の表示を行い、大当りが導出されることとなる。
ここで、演出制御装置３００は、テーブル変更手段（遊技制御装置１００）によってテーブルが変更される場合に、当該変更されたテーブルに基づく特図変動表示ゲームにおいて、次に切替回数となる特図変動表示ゲームにおいて変更されるテーブルに関する所定の演出を実行したこととなる。また、当該切替回数は、始動記憶手段に記憶可能な所定の上限数（「４」）よりも大きな数としたこととなる。
【０２４６】
次に、大当り終了後の第２予告回数（切替回数）での予告演出及び第２所定回数（次の切替回数）での所定の演出の表示例について、図３８を用いて説明する。なお、第２予告回数での予告演出後、第２所定回数の特図変動表示ゲームが行われるまでの間は大当りが発生しないものとする。
【０２４７】
図３８（ａ）は、第２予告回数の特図変動表示ゲーム中の予告演出表示を示す図である。
当該第２予告回数は、変動パターンテーブルを変更する変更対象回数となっており、このとき、はずれ用の変動パターンテーブルＡからはずれ用の変動パターンテーブルＢに切り替えられることとなる（ステップＢ１２１、ステップＢ１３８参照）。そして、表示部４１ａには、「☆予言モード中☆」の表示を行うとともに、当該第２予告回数と対応付けられた第２所定回数（６０回）の特図変動表示ゲームにてスーパーリーチが発生したら大当りとなることを示唆する「１５回転後にスーパーリーチがくれば！？」の表示を行う。
なお、表示部４１ａの右上部に当該予言モードの累積回数を表示するようにしても良い。
【０２４８】
次いで、図３８（ｂ）〜（ｇ）に示すように、大当り終了後、４６〜５９回目の特図変動表示ゲームでは、第２所定回数（６０回）の特図変動表示ゲームが開始されるまでのカウントダウン表示を行う。
【０２４９】
図３８（ｈ）〜（ｍ）は、第２予告回数の予告演出に関連した所定の演出表示を示す図である。
当該第２所定回数は、変動パターンテーブルを変更する変更対象回数となっており、特図変動表示ゲームの結果がはずれであれば、はずれ用の変動パターンテーブルＡからはずれ用の変動パターンテーブルＣに、そして、大当りであれば、大当り用の変動パターンテーブルＤから大当り用の変動パターンテーブルＢに切り替えられることとなる（ステップＢ１２１、ステップＢ１３８参照）。
【０２５０】
図３８（ｈ）は、第２所定回数の演出開始時の表示を示す図であり、表示部４１ａには、第２所定回数に達したことを報知する「０！！」の表示を行う。そして、所定時間が経過すると、図３８（ｉ）のように、「リーチよ！こいっ！！」の表示を行い、さらに所定時間が経過しノーマルリーチが発生すると、図３８（ｊ）のように、「がんばれ〜っ！！」の表示を行う。
そして、当該特図変動表示ゲームの結果がはずれの場合は、図３８（ｋ）のように、ノーマルリーチからスーパーリーチに発展することなく「ざんねん…」の表示を行い、はずれが導出されることとなる。
一方、当該特図変動表示ゲームの結果が大当りの場合は、図３８（ｌ）のように、左図柄と右図柄がキャラクタ（例えば「虎の顔」）の図柄に変わった段階で「変われっ！！」の表示を行い、図３８（ｍ）のように、スーパーリーチ（「７」図柄でのリーチ）に発展した段階で「きたぁ〜っ！！」の表示を行い、大当りが導出されることとなる。
ここで、演出制御装置３００は、テーブル変更手段（遊技制御装置１００）によってテーブルが変更される場合に、当該変更されたテーブルに基づく特図変動表示ゲームにおいて、次に切替回数となる特図変動表示ゲームにおいて変更されるテーブルに関する所定の演出を実行したこととなる。また、当該切替回数は、始動記憶手段に記憶可能な所定の上限数（「４」）よりも大きな数としたこととなる。
【０２５１】
以上のように、実施形態１の遊技機１０によれば、上記制御処理を実行することによって、遊技制御装置１００によってテーブルが変更される場合に、当該変更されたテーブルに基づく特図変動表示ゲームにおいて、次の所定回数後の特図変動表示ゲームおいて変更されるテーブルに関する所定の演出を実行することができるので、従来にない興趣に富んだ予告演出を行うことができる。特に、予告演出が可能な範囲を始動記憶上限数の特図変動表示ゲームが行われる範囲に縛られずに、当該上限数以降の特図変動表示ゲームでも期待感を継続させることで、より興趣に富んだ予告演出を行うことができる。
【０２５２】
なお、上記実施形態１では、大当り終了後の各予告回数及び各所定回数が一律に設定されていたが、これに限らず、当該大当りの図柄の種類によって異ならせるようにしても良い。
具体的には、図３９に示すように、１５Ｒ確変大当り又は１５Ｒ通常大当りに応じて、より具体的には、大当り図柄番号「１１」による１５Ｒ確変大当り、大当り図柄番号「１２」による１５Ｒ確変大当り、大当り図柄番号「１３」による１５Ｒ通常大当り、又は、大当り図柄番号「１４」による１５Ｒ通常大当りに応じて、各予告回数（切替回数）及び各所定回数（次の切替回数）を設定する。
ここで、各予告回数（切替回数）及び各所定回数（次の切替回数）は、特別遊技状態（大当り）を発生させた特別結果の種類に基づいて設定したこととなる。
これにより、テーブルが変更される各回数が大当りの図柄の種類に基づいて設定されることで、予告演出がランダムに発生するようになるので、当該予告演出が単調になることを抑制し、遊技の興趣を向上させるとともに、遊技者の期待感を好適に継続させることができるようになる。
【０２５３】
また、確率状態が通常確率の場合には、リーチの発生頻度を高くすることによって、はずれの場合でも所定のリーチが発生し易くするようにしても良い。
また、大当り終了後、確率状態を明確に報知しない場合には、確変状態／通常確率状態問わず演出状態を同一にする。
【０２５４】
＜実施形態２＞
次に、実施形態２の遊技機１０について説明する。なお、基本的には、上述の遊技機と同様の構成を有しており、以下、同様の構成を有する部分については同じ符号を付して説明を省略し、主に異なる部分について説明する。
実施形態２の遊技機１０は、大当りの種類に応じて、各予告回数（切替回数）及び各所定回数（次の切替回数）となるまでの特図変動表示ゲーム回数の計数開始条件を異ならせたことを特徴とする。
【０２５５】
図４０（ａ）は、大当りの種類と計数開始条件との関係を示す図である。
図４０（ａ）に示すように、大当り図柄番号「２１」の１５Ｒ確変大当りの場合、当該大当り直後から計数を開始する。また、大当り図柄番号「２２」の１５Ｒ確変大当りの場合、当該大当り後の特図変動表示ゲームにて特定はずれ図柄Ａが導出された後から計数を開始する。なお、１５Ｒ確変大当り後は、次の大当りが発生するまで普通変動入賞装置３７のサポート（普電サポート）が付与されることとなる。
また、大当り図柄番号「２３」の１５Ｒ通常大当りの場合、当該大当り直後から計数を開始する。また、大当り図柄番号「２４」の１５Ｒ通常大当りの場合、当該大当り後の特図変動表示ゲームにて特定はずれ図柄Ｂが導出された後から計数を開始する。なお、１５Ｒ通常大当り後は、当該大当り後１００回の特図変動表示ゲームが行われるまで普電サポートが付与されることとなる。
また、大当り図柄番号「２５」の２Ｒ確変大当りの場合、当該大当り後の特図変動表示ゲームにて特定はずれ図柄Ｃが導出された後から計数を開始する。なお、２Ｒ確変大当り後は、次の大当りが発生するまで普電サポートが付与されることとなる。
【０２５６】
図４０（ｂ）は、特定はずれ図柄Ａ〜Ｃの振分数を示す図であり、各特定はずれ図柄は、２：３：５の割合で振分けられている。
ここで、特図変動表示ゲームの結果が特別結果とならないはずれ変動表示ゲームの結果態様を複数種類設定したこととなる。
【０２５７】
図４０（ｃ）は、大当り（特別遊技状態）終了後から計数を開始した場合のタイミングチャートを示す図である。この場合、大当り終了後１５回転目で第１予告演出を行う予告用通常長時間変動表示ゲームが実行され、当該ゲームから１５回転目で第１予告演出に関連した所定の演出を行う対象変動表示ゲームが実行される。
【０２５８】
図４０（ｄ）は、大当り（特別遊技状態）終了後、特定はずれ図柄Ａが導出された後から計数を開始した場合のタイミングチャートを示す図である。この場合、特定はずれ図柄Ａの導出後１５回転目で第１予告演出を行う予告用通常長時間変動表示ゲームが実行され、当該ゲームから１５回転目で第１予告演出に関連した所定の演出を行う対象変動表示ゲームが実行される。
【０２５９】
図４０（ｅ）は、大当り（特別遊技状態）終了後、特定はずれ図柄Ｂが導出された後から計数を開始した場合のタイミングチャートを示す図である。この場合、特定はずれ図柄Ｂの導出後１５回転目で第１予告演出を行う予告用通常長時間変動表示ゲームが実行され、当該ゲームから１５回転目で第１予告演出に関連した所定の演出を行う対象変動表示ゲームが実行される。
【０２６０】
〔特図始動口ＳＷ共通処理〕
図４１は、実施形態２における特図始動口ＳＷ共通処理を示すフローチャートである。
図４１に示すように、実施形態２における始動口ＳＷ共通処理では、上記実施形態１の場合と同様、ステップＡ２０１〜ステップＡ２１７の処理を行った後、はずれ図柄乱数をはずれ図柄乱数セーブ領域にセーブする（ステップＡ６０１）。
ここで、はずれ図柄乱数をセーブすることで、特定はずれ図柄Ａ〜Ｃが発生するか否かをチェックする準備を行う。
そして、ステップＡ６０１の処理後は、上記実施形態１の場合と同様、ステップＡ２１８〜ステップＡ２２１の処理を行い、特図始動口ＳＷ共通処理を終了する。
【０２６１】
〔特図保留情報判定処理〕
図４２には、図４１に示す特図始動口ＳＷ共通処理における特図保留情報判定処理（ステップＡ２２１）を示した。この実施形態２における特図保留情報判定処理では、ステップＡ２３７の小当り判定処理にて、小当り情報がないと判定された場合（ステップＡ２３８）、すなわち、特図変動表示ゲームの結果がはずれの場合は、対象の始動口スイッチに対応するはずれ図柄乱数チェックテーブルを設定し（ステップＡ６１１）、はずれ図柄乱数をチェックし、対応するはずれ情報ポインタを取得し、準備して（ステップＡ６１２）、ステップＡ２４１へ移行する。ここで、特定はずれ図柄Ａ〜Ｃが発生するか否かをチェックする準備を行う。
【０２６２】
〔変動回数更新処理〕
図４３は、実施形態２における変動回数更新処理を示すフローチャートである。
図４３に示すように、実施形態２における変動回数更新処理では、まず、各予告回数及び各所定回数の計数開始条件を異ならせるための特定期間フラグがあるか否かをチェックする（ステップＡ６２１）。
ここで、特定期間フラグがあると判定された場合（ステップＡ６２２；Ｙｅｓ）は、特定期間回数更新処理（ステップＡ６２３）を行い、ステップＡ４６１へ移行する。
また、特定期間フラグがないと判定された場合（ステップＡ６２２；Ｎｏ）は、ステップＡ６２３をスキップして、ステップＡ４６１へ移行する。
なお、ステップＡ４６１以降の処理内容は、上記実施形態１の場合と同様のため、その説明は省略する。
【０２６３】
〔特図１停止図柄設定処理〕
図４４には、図１７（ａ）に示す特図１変動開始処理における特図１停止図柄設定処理（ステップＡ３１３）を示した。
この実施形態２における特図１停止図柄設定処理では、まず、大当りフラグ１に設定された情報が大当りに関する情報か否かをチェックする（ステップＡ６３１）。
ここで、大当りに関する情報であると判定された場合（ステップＡ６３２；Ｙｅｓ）は、特図１の大当り図柄テーブルを設定する（ステップＡ６３３）。そして、大当り図柄乱数セーブ領域から大当り図柄乱数をロードし（ステップＡ６３４）、大当り図柄乱数に対応する停止図柄番号を取得し、準備して（ステップＡ６３５）、ステップＡ６４２へ移行する。
【０２６４】
また、大当りに関する情報でないと判定された場合（ステップＡ６３２；Ｎｏ）は、小当りに関する情報であるか否かをチェックする（ステップＡ６３６）。
ここで、小当りに関する情報であると判定された場合（ステップＡ６３６；Ｙｅｓ）は、小当り時の停止図柄番号を特図停止図柄領域にセーブし（ステップＡ６３７）、小当り時の図柄情報を図柄情報領域にセーブして（ステップＡ６３８）、ステップＡ６４２へ移行する。
【０２６５】
また、小当りに関する情報でないと判定された場合（ステップＡ６３６；Ｎｏ）は、特図１のはずれ図柄テーブルを設定する（ステップＡ６３９）。そして、はずれ図柄乱数セーブ領域からはずれ図柄乱数をロードし（ステップＡ６４０）、はずれ図柄乱数に対応する停止図柄番号を取得し、準備して（ステップＡ６４１）、ステップＡ６４２へ移行する。
【０２６６】
ステップＡ６４２では、取得した停止図柄番号を特図１停止図柄領域にセーブして（ステップＡ６４２）、停止図柄情報設定処理（ステップＡ６４３）を行う。次いで、飾り特図コマンドテーブルを設定し（ステップＡ６４４）、図柄情報に対応する飾り特図コマンド（ACTION）を取得する（ステップＡ６４５）。続けて、飾り特図１コマンド（MODE）を設定し（ステップＡ６４６）、飾り特図１コマンド領域にコマンドをセーブする（ステップＡ６４７）。そして、大当り図柄乱数セーブ領域を０クリアして（ステップＡ６４８）、特図１停止図柄設定処理を終了する。
【０２６７】
〔特図２停止図柄設定処理〕
図４５には、図１７（ｂ）に示す特図２変動開始処理における特図２停止図柄設定処理（ステップＡ３３３）を示した。
この実施形態２における特図２停止図柄設定処理では、まず、大当りフラグ２に設定された情報が大当りに関する情報か否かをチェックする（ステップＡ６５１）。
ここで、大当りに関する情報であると判定された場合（ステップＡ６５２；Ｙｅｓ）は、特図２の大当り図柄テーブルを設定する（ステップＡ６５３）。そして、大当り図柄乱数セーブ領域から大当り図柄乱数をロードし（ステップＡ６５４）、大当り図柄乱数に対応する停止図柄番号を取得し、準備して（ステップＡ６５５）、ステップＡ６６２へ移行する。
【０２６８】
また、大当りに関する情報でないと判定された場合（ステップＡ６５２；Ｎｏ）は、小当りに関する情報であるか否かをチェックする（ステップＡ６５６）。
ここで、小当りに関する情報であると判定された場合（ステップＡ６５６；Ｙｅｓ）は、小当り時の停止図柄番号を特図停止図柄領域にセーブし（ステップＡ６５７）、小当り時の図柄情報を図柄情報領域にセーブして（ステップＡ６５８）、ステップＡ６６２へ移行する。
【０２６９】
また、小当りに関する情報でないと判定された場合（ステップＡ６５６；Ｎｏ）は、特図２のはずれ図柄テーブルを設定する（ステップＡ６５９）。そして、はずれ図柄乱数セーブ領域からはずれ図柄乱数をロードし（ステップＡ６６０）、はずれ図柄乱数に対応する停止図柄番号を取得し、準備して（ステップＡ６６１）、ステップＡ６６２へ移行する。
【０２７０】
ステップＡ６６２では、取得した停止図柄番号を特図２停止図柄領域にセーブして（ステップＡ６６２）、停止図柄情報設定処理（ステップＡ６６３）を行う。次いで、飾り特図コマンドテーブルを設定し（ステップＡ６６４）、図柄情報に対応する飾り特図コマンド（ACTION）を取得する（ステップＡ６６５）。続けて、飾り特図２コマンド（MODE）を設定し（ステップＡ６６６）、飾り特図２コマンド領域にコマンドをセーブする（ステップＡ６６７）。そして、大当り図柄乱数セーブ領域を０クリアして（ステップＡ６６８）、特図２停止図柄設定処理を終了する。
【０２７１】
〔特定期間回数更新処理〕
図４６には、図４３に示す変動回数更新処理における特定期間回数更新処理（ステップＡ６２３）を示した。
この実施形態２における特定期間回数更新処理では、まず、停止図柄情報を取得する（ステップＡ６７１）。そして、当該停止図柄情報に基づく図柄が対応する特定のはずれ図柄か否かをチェックする（ステップＡ６７２）。
ここで、対応する特定のはずれ図柄であると判定された場合（ステップＡ６７３；Ｙｅｓ）は、停止図柄情報に対応するテーブル情報を設定し（ステップＡ６７４）、特図変動回数領域に特図変動回数初期値をセーブして（ステップＡ６７５）、特定期間回数更新処理を終了する。ここで、特定はずれ図柄の導出後から各予告回数及び各所定回数までの計数が開始されることとなる。
一方、対応する特定のはずれ図柄でないと判定された場合（ステップＡ６７３；Ｎｏ）は、特定期間回数更新処理を終了する。
ここで、遊技制御装置１００は、特別遊技状態の終了後、当該特別遊技状態を発生させる特別結果と対応付けて設定されたはずれ変動表示ゲームの結果態様が導出されることに基づいて、特図変動表示ゲームの実行回数の計数を開始したこととなる。
【０２７２】
〔大当り終了処理〕
図４７は、実施形態２における大当り終了処理を示すフローチャートである。
図４７に示すように、実施形態２における大当り終了処理では、ステップＡ５０２の確率変動判定フラグによる分岐よりにて、確率変動判定フラグが３である場合は、大当り終了設定処理３（ステップＡ７０１）を行う。当該処理は、特別遊技状態の終了後に高確率状態となるとともに確率状態を報知しない状態となる特別結果態様を導出した場合に実行される処理である。
【０２７３】
また、確率変動判定フラグが４である場合は、大当り終了設定処理４（ステップＡ７０２）を行う。当該処理は、特別遊技状態の終了後に通常確率状態となるとともに確率状態を報知しない状態となる特別結果態様を導出した場合に実行される処理である。
なお、当該大当り終了処理のその他の処理内容は、実施形態１における大当り終了処理と同様のため、その説明については省略する。
【０２７４】
〔大当り終了設定処理３〕
次に、上述の大当り終了処理における大当り終了設定処理３（ステップＡ７０１）の詳細について説明する。
図４８（ａ）に示すように、大当り終了設定処理３では、まず、潜伏確変の開始に関する信号を外部情報出力データ領域にセーブし（ステップＡ７１１）、潜伏確変の開始に関する信号を試験信号出力データ領域にセーブする（ステップＡ７１２）。次に、遊技状態表示番号領域に高確率時の番号をセーブし（ステップＡ７１３）、普図ゲームモードフラグ領域に普図高確率／普電サポートなしフラグをセーブする（ステップＡ７１４）。
【０２７５】
続けて、特図ゲームモードフラグ領域に高確率／時短なしフラグをセーブし（ステップＡ７１５）、停止図柄情報に対応するテーブル情報を設定する（ステップＡ７１６）。そして、停電復旧時送信コマンド領域に確率情報コマンド（潜伏確変）をセーブし（ステップＡ７１７）、時短回数領域をリセットし（ステップＡ７１８）、特定期間フラグをセーブして（ステップＡ７１９）、大当り終了設定処理３を終了する。
以上の処理により、特別遊技状態の終了後、確率状態が高確率状態となるが普通変動入賞装置３７の動作状態が時短動作状態とならない。また、確率状態が明確に報知されない状態となる。
【０２７６】
〔大当り終了設定処理４〕
次に、上述の大当り処理における大当り終了設定処理４（ステップＡ７０２）の詳細について説明する。
図４８（ｂ）に示すように、大当り終了設定処理４では、まず、時短回数領域をリセットし（ステップＡ７２１）、特定期間フラグをセーブして（ステップＡ７２２）、大当り終了設定処理４を終了する。
【０２７７】
以上の処理により、特別遊技状態の終了後、確率状態が通常確率状態となるが普通変動入賞装置３７の動作状態が時短動作状態とならない。また、確率状態が明確に報知されない状態となる。
【０２７８】
以上のように、実施形態２の遊技機１０によれば、上記制御処理を行うことによって、大当り終了後、当該大当りの図柄と対応付けて設定されたはずれ変動表示ゲームの結果態様（特定はずれ図柄）が導出されることに基づいて、特図変動表示ゲームの実行回数の計数を開始するようにすることで、予告演出がランダムに発生するようになるので、当該予告演出が単調になることを抑制し、遊技の興趣を向上させるとともに、遊技者の期待感を好適に継続させることができるようになる。
【０２７９】
なお、実施形態２では、特定はずれ図柄の導出を契機に各予告回数及び各所定回数の計数を開始するようにしたが、当該特定はずれ図柄の導出を、予告演出（予言モード）を行う特定モードに移行する移行条件としても良い。
かかる場合、特定はずれ図柄が導出される特図変動表示ゲームの変動時間を長めに設定しておくことで、当該特定モード（予言モード）への移行を可能とする。
具体的には、図４９（ａ）に示すように、はずれ図柄が導出される特図変動表示ゲームにおいて、予言モード（特定モード）に移行する可能性があることを示唆する表示（例えば、「予言モード移行チャンス！？」や「「３２１」で予言モード」の表示）を行う。
そして、図４９（ｂ）に示すように、実際に特定はずれ図柄「３２１」が導出されると、予言モードに移行したことを示す表示（例えば、「予言モード突入！！」や「未来の大当りを予言するよ☆」の表示）を行う。
【０２８０】
また、特定のはずれ図柄を導出させるようにした場合には、その他に特定のリーチ図柄を発生させるようにして、当該特定のリーチ図柄の導出を、予告演出（予言モード）を行う特定モードに移行する移行条件としても良い。
また、特定のはずれ図柄が導出される場合には、予言モードに移行するための長めの変動時間を設定せずに、例えば、予告用のキャラクタを表示させるのみによって予告演出としても良い。
【０２８１】
また、先読み予告処理によって、特定のはずれ図柄が発生すると判定された場合は、当該はずれ図柄を導出する特図変動表示ゲームの数回転前から複数のゲームに亘ってモード移行演出を行うようにしても良い。
また、先読み予告処理によって、特定のはずれ図柄が発生すると判定された場合は、予告回数（１５回）に、このときの保留数を加えたゲーム回数にて予言モードに移行することを示唆する演出表示を行うようにしても良い。
【０２８２】
また、予め定められた特定回数（例えば、大当り終了後１００回）の特図変動表示ゲームが消化されても特定のはずれ図柄が導出されない場合は、変動パターンテーブルを設定するためのテーブル情報を変更しないようにしても良い。
【０２８３】
＜変形例１＞
次に、実施形態２の変形例１の遊技機１０について説明する。なお、基本的には、上述の遊技機と同様の構成を有しており、以下、同様の構成を有する部分については同じ符号を付して説明を省略し、主に異なる部分について説明する。
当該変形例１の遊技機１０は、特定のはずれ図柄を複数種類設定し、大当り終了後のはずれ図柄導出状態に基づいて変動パターンテーブルを設定するためのテーブル情報を変更することを特徴とする。
【０２８４】
図５０は、導出されるはずれ図柄と設定されるテーブル情報との関係を示す図である。
図５０に示すように、はずれ図柄は、通常はずれ図柄と、特定はずれ図柄Ａと、特定はずれ図柄Ｂと、特定はずれ図柄Ｃとを有する。
ここで、特図変動表示ゲームの結果が特別結果とならないはずれ変動表示ゲームの結果態様を複数種類設定したこととなる。
図柄番号７１の通常はずれ図柄は、大当り終了後１００回の特図変動表示ゲーム以外において導出されるはずれ図柄である。
また、図柄番号７２の特定はずれ図柄Ａは、大当り終了後１００回の特図変動表示ゲームにおいて導出されるはずれ図柄であり、当該はずれ図柄の導出後は、テーブル情報Ａ（図５１（ａ）参照）が設定される。
また、図柄番号７３の特定はずれ図柄Ｂは、大当り終了後１００回の特図変動表示ゲームにおいて導出されるはずれ図柄であり、当該はずれ図柄の導出後は、テーブル情報Ｂ（図５１（ｂ）参照）が設定される。
また、図柄番号７４の特定はずれ図柄Ｃは、大当り終了後１００回の特図変動表示ゲームにおいて導出されるはずれ図柄であり、当該はずれ図柄の導出後は、テーブル情報Ｃ（図５１（ｃ）参照）が設定される。
ここで、切替回数は、特別遊技状態を発生させる特別結果と対応付けて設定されるはずれ変動表示ゲームの結果態様に基づいて設定したこととなる。
なお、図５０に示す７セグ表示は、一括表示装置５０の特図１表示器５１と特図２表示器５２を表したものである。
【０２８５】
以上のように、変形例１の遊技機１０によれば、テーブルが変更される各回数が大当りの図柄と対応付けられたはずれ変動表示ゲームの結果態様（特定はずれ図柄）に基づいて設定されることで、予告演出がランダムに発生するようになるので、当該予告演出が単調になることを抑制し、遊技の興趣を向上させるとともに、遊技者の期待感を好適に継続させることができるようになる。
【０２８６】
＜実施形態３＞
次に、実施形態３の遊技機１０について説明する。なお、基本的には、上述の遊技機と同様の構成を有しており、以下、同様の構成を有する部分については同じ符号を付して説明を省略し、主に異なる部分について説明する。
実施形態３の遊技機１０は、各予告回数の予告演出として、予め定められた所定回数（１５回）よりも多い回数を演出上において報知することを可能とし、先読み予告処理の結果を参照して、当該多めに報知された回数の減算幅を変更しながら当該回数の減算を行うことを特徴とする。
【０２８７】
〔変動回数管理処理〕
図５２は、実施形態３における変動回数管理処理を示すフローチャートである。
図５２に示すように、変動回数管理処理では、ステップＢ１２０にて、保留内に大当りとなる情報がない場合（ステップＢ１２０；Ｎｏ）は、演出設定処理（ステップＢ８０１）を行い、ステップＢ１２２へ移行する。なお、演出設定処理の詳細については後述する。
また、ステップＢ８０１以外の処理内容については、実施形態１の変動回数管理処理と同様のための、その説明についは省略する。
【０２８８】
〔演出設定処理〕
図５３には、図５２に示す変動回数管理処理における演出設定処理（ステップＢ８０１）を示した。
図５３に示すように、演出設定処理では、まず、報知回数決定用乱数を取得して（ステップＢ８１１）、当該乱数が報知回数を変更することを決定する判定値と一致するか否かを判定する（ステップＢ８１２）。
ここで、当該乱数が報知回数を変更することを決定する判定値と一致すると判定された場合（ステップＢ８１２；Ｙｅｓ）は、報知回数として上乗せ回数を設定し（ステップＢ８１３）、設定した報知回数を表示部４１ａに表示して（ステップＢ８１５）、演出設定処理を終了する。ここで、演出制御装置３００は、所定の演出を実行する場合に、予め設定されている切替回数よりも多い回数を遊技者に報知可能とする報知制御手段として機能する。
また、当該乱数が報知回数を変更することを決定する判定値と一致しないと判定された場合（ステップＢ８１２；Ｎｏ）は、テーブル情報に基づく報知回数を設定し（ステップＢ８１４）、設定した報知回数を表示部４１ａに表示して（ステップＢ８１５）、演出設定処理を終了する。
【０２８９】
次に、大当り終了後の第１予告回数（１５回）にて上乗せ回数（２０回）を設定（ステップＢ８１３）した場合の予告演出及び第１所定回数（第１予告回数から１５回）での所定の演出の表示例について、図５４〜図５８を用いて説明する。
【０２９０】
図５４（ａ）は、第１予告回数の特図変動表示ゲーム中の予告演出表示を示す図である。
当該第１予告回数は、変動パターンテーブルを変更する変更対象回数となっており、このとき、はずれ用の変動パターンテーブルＡからはずれ用の変動パターンテーブルＢに切り替えられることとなる（ステップＢ１２１、ステップＢ１３８参照）。そして、表示部４１ａには、「☆予言モード中☆」の表示を行うとともに、当該第１予告回数と対応付けられた第１所定回数の特図変動表示ゲームにてリーチが発生したら大当りとなることを示唆する「ボクが全部いなくなってリーチがかかれば・・激熱だよ」の表示を行う。
なお、この演出表示例では、第１所定回数までのカウントダウン表示として数字による表示の代わりに主人公キャラクタ（例えば、虎の顔）の表示を行う。そして、このとき上乗せ回数が２０回であるため２０個の主人公キャラクタが表示されることとなる。
【０２９１】
そして、図５４（ａ）、（ｂ）のように、特図変動表示ゲームが消化される毎に、主人公キャラクタが敵キャラクタに食べられて消滅してしまう演出表示を行う。
また、特図変動表示ゲームが消化される毎に敵キャラクタに食べられて消滅してしまう主人公キャラクタの数は任意で、図５４（ｃ）、（ｄ）のように、３個の主人公キャラクタが一度に食べられて消滅してしまう場合や、図５５（ａ）、（ｂ）のように、主人公キャラクタが敵キャラクタに食べられない場合、図５５（ｃ）、（ｄ）及び図５６（ａ）、（ｂ）のように、１個の主人公キャラクタが食べられて消滅してしまう場合などがある。
【０２９２】
また、第１所定回数に達する前の先読み予告処理によって、大当りが発生すると判定された場合には、図５６（ｃ）、（ｄ）のように、当該先読み予告処理の対象となった保留記憶に基づく特図変動表示ゲームまでに主人公キャラクタが全て消化されるように、一度に大量（例えば、１１個）の主人公キャラクタが食べられて消滅してしまう演出表示を行うようにしても良い。
【０２９３】
そして、図５７（ａ）、（ｂ）のように、第１所定回数の１変動前又は先読み予告処理にて大当りを発生させると判定された保留記憶の一つ前の保留記憶における特図変動表示ゲームにて、１個の主人公キャラクタが食べられて消滅し、図５７（ｃ）、（ｄ）のように、第１所定回数の又は先読み予告処理にて大当りを発生させると判定された保留記憶における特図変動表示ゲームにて、主人公キャラクタが全て食べられて消滅し、リーチが発生した場合は、「きたぁ〜っ！！」の表示を行い、更に、図５８（ａ）のように、「全部いなくなったから激熱だな☆」の表示を行う。
そして、図５８（ｂ）のように、大当りが導出された段階で、主人公キャラクタを再出させて「俺のおかげだ!!!!!」の文字表示を行う。
【０２９４】
以上のように、実施形態３の遊技機１０によれば、所定の演出を実行する場合に、予め設定されている所定回数よりも多い回数を報知しておき、演出制御装置３００によって、遊技制御装置１００による判定結果に基づいて、当該報知する回数の更新を行うことで、より柔軟で演出効果が高く、期待のできる予告演出が可能となる。
【０２９５】
なお、以上の各実施形態で説明した遊技機は、遊技機として、前記実施形態に示されるようなパチンコ遊技機に限られるものではなく、例えば、その他のパチンコ遊技機、アレンジボール遊技機、雀球遊技機などの遊技球を使用する全ての遊技機に適用可能である。
【０２９６】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０２９７】
例えば、実施形態２の遊技機１０において、大当り終了後１００回の特図変動表示ゲーム内で先読み予告処理を行い、特定はずれ図柄に当選する保留記憶があると判定された場合、当該特定はずれ図柄を導出する特図変動表示ゲームまでの回数と予告回数と所定回数を合算した回数により予告演出を行うようにしても良い。
例えば、特定はずれ図柄に当選する保留記憶が消化順序２番目の保留記憶であり、予告回数が１５回、所定回数が３０回（予告回数から１５回）の場合、図５９（ａ）に示すように、１７回転後のゲームで予告演出が行われることを示唆する表示（例えば、「１７回転後に予言がくる！？」の表示）を行う。そして、図５９（ｂ）に示すように、３２回転後のゲームでリーチが発生したら大当りとなることを示唆する表示（例えば、「３２回転後にリーチがくれば！？」の表示）を行う。
【０２９８】
また、図６０に示すように、予告回数（例えば、１５回）にて報知する所定回数（例えば、３０回）の前に行われるゲームで大当りが発生し、当該大当りを発生させる保留記憶までの回数（例えば、２７回）を報知する場合、当該大当りを発生させる保留記憶までに報知した２７回数分のゲームが当該所定回数のゲームが終了するタイミングで終了するように見せかける演出表示を行う。
具体的には、２６回目と２７回目、２８〜３０回目のゲームを擬似連によるゲーム、もしくは各ゲームの変動時間が短い場合には各ゲームの変動表示を一連の揺れ変動表示のように見せかけるようにする。
【０２９９】
また、大当り終了後１００回の特図変動表示ゲームが行われるとき以外の通常遊技状態においても、特定はずれ図柄の導出を契機に各予告回数及び各所定回数の計数を開始するようにしても良い。そして、予め定められた特定はずれ図柄の導出を契機とする場合はその後のゲームにて希少価値のある激熱リーチを頻発させるようにしても良い。
【符号の説明】
【０３００】
１０    遊技機
１００  遊技制御装置（始動記憶手段、判定手段、変動表示ゲーム実行制御手段、テーブル設定手段、計数手段、テーブル変更手段、事前判定手段）
３００  演出制御装置（演出制御手段、報知制御手段）
４１    表示装置（変動表示装置）
４１ａ  表示部
【図１】
0005486475.tif 000002
【図２】
0005486475.tif 000003
【図３】
0005486475.tif 000004
【図４】
0005486475.tif 000005
【図５】
0005486475.tif 000006
【図６】
0005486475.tif 000007
【図７】
0005486475.tif 000008
【図８】
0005486475.tif 000009
【図９】
0005486475.tif 000010
【図１０】
0005486475.tif 000011
【図１１】
0005486475.tif 000012
【図１２】
0005486475.tif 000013
【図１３】
0005486475.tif 000014
【図１４】
0005486475.tif 000015
【図１５】
0005486475.tif 000016
【図１６】
0005486475.tif 000017
【図１７】
0005486475.tif 000018
【図１８】
0005486475.tif 000019
【図１９】
0005486475.tif 000020
【図２０】
0005486475.tif 000021
【図２１】
0005486475.tif 000022
【図２２】
0005486475.tif 000023
【図２３】
0005486475.tif 000024
【図２４】
0005486475.tif 000025
【図２５】
0005486475.tif 000026
【図２６】
0005486475.tif 000027
【図２７】
0005486475.tif 000028
【図２８】
0005486475.tif 000029
【図２９】
0005486475.tif 000030
【図３０】
0005486475.tif 000031
【図３１】
0005486475.tif 000032
【図３２】
0005486475.tif 000033
【図３３】
0005486475.tif 000034
【図３４】
0005486475.tif 000035
【図３５】
0005486475.tif 000036
【図３６】
0005486475.tif 000037
【図３７】
0005486475.tif 000038
【図３８】
0005486475.tif 000039
【図３９】
0005486475.tif 000040
【図４０】
0005486475.tif 000041
【図４１】
0005486475.tif 000042
【図４２】
0005486475.tif 000043
【図４３】
0005486475.tif 000044
【図４４】
0005486475.tif 000045
【図４５】
0005486475.tif 000046
【図４６】
0005486475.tif 000047
【図４７】
0005486475.tif 000048
【図４８】
0005486475.tif 000049
【図４９】
0005486475.tif 000050
【図５０】
0005486475.tif 000051
【図５１】
0005486475.tif 000052
【図５２】
0005486475.tif 000053
【図５３】
0005486475.tif 000054
【図５４】
0005486475.tif 000055
【図５５】
0005486475.tif 000056
【図５６】
0005486475.tif 000057
【図５７】
0005486475.tif 000058
【図５８】
0005486475.tif 000059
【図５９】
0005486475.tif 000060
【図６０】
0005486475.tif 000061